【事件の表示】
　特許第２９５９５４５号「画像情報入出力装置及び画像情報入出力装置の制御方法及び画像情報処理システム」の請求項１乃至１７、２０、２１、２４、２５、２８、２９、３２に係る特許に対する特許異議の申立てについて、次のとおり決定する。
【結　論】
　訂正を認める。
　特許第２９５９５４５号の請求項１乃至１０、１３、１４、１７、１８、２１、２２、２５に係る特許を維持する。
【理　由】
１．手続の経緯
　本件特許第２９５９５４５号の発明についての出願は、平成１０年１月２３日に出願（優先権主張、平成９年３月２５日）され、平成１１年７月３０日にその発明について特許権の設定登録がなされ、その後、その特許について、キャノン株式会社より特許異議の申立てがなされ、そして、訂正前の本件特許明細書の請求項１乃至１６に係る発明については優先権の主張が認められるものの、同請求項１７乃至３２に係る発明については優先権の主張が認められないことから、特許異議申立人が提出した甲第４号証刊行物（特開平９−３２５９２５号公報）を引用して、訂正前の本件特許明細書の請求項１，３，５，６，８，１０，１２，１３及び１５に係る発明の特許は、特許法第２９条の２の規定に違反してされたものであり、また同請求項１７，２０，２１，２４，２５，２８，２９及び３２に係る発明の特許は、特許法第２９条第２項の規定に違反してされたものである旨の取消しの理由が通知され、その指定期間内である平成１２年１１月８日に訂正請求がなされたものである。
２．訂正の適否について
（１）訂正の内容
　特許権者が求めている訂正の要旨は、以下のａ，ｂのとおりである。
ａ．特許請求の範囲の訂正
　１）請求項１の　
　　「ハイパーテキスト型の情報検索環境を備え、制御情報に基づいて画像処理手段を駆動することにより画像情報の入出力処理を行う画像情報入出力装置であって、検索情報と前記制御情報とを対応付けて管理する管理手段と、入力された検索情報に基づいて前記管理手段を検索し、該検索情報を所定の制御情報に変換する変換手段と、前記変換手段により変換された前記制御情報に基づいて、前記画像処理手段の作動を制御する制御手段と、を備えたことを特徴とする画像情報入出力装置。」を、
「ハイパーテキスト型の情報検索環境を備え、制御情報に基づいて画像処理手段を駆動することにより画像情報の入出力処理を行う画像情報入出力装置であって、　ウェブブラウザのブックマーク保存機能を用いて保存可能なＵＲＬ（Uniform Resource Locator）であって、複数の項目の設定値を一度に指示する構造をもつＵＲＬと前記制御情報とを対応付けて管理する管理手段と、入力されたＵＲＬに基づいて前記管理手段を検索し、該ＵＲＬを所定の制御情報に変換する変換手段と、前記変換手段により変換された前記制御情報に基づいて、前記画像処理手段の作動を制御する制御手段と、を備えたことを特徴とする画像情報入出力装置。」に訂正する。
  ２）請求項３の
　　「ハイパーテキスト型の情報検索環境と、検索情報と制御情報とを対応付けて管理する管理手段とを備え、前記制御情報に基づいて画像処理手段を駆動することにより画像情報の入出力処理を行う画像情報入出力装置を制御するための制御方法であって、前記検索情報を受信するステップと、受信された前記検索情報に基づいて前記管理手段を検索し、該検索情報を所定の制御情報に変換するステップと、変換された前記制御情報に基づいて、前記画像処理手段の作動を制御するステップと、前記画像処理手段により得られる画像情報を前記検索情報の入力元に転送するステップと、を備えたことを特徴とする画像情報入出力装置の制御方法。」を、
「ハイパーテキスト型の情報検索環境と、ウェブブラウザのブックマーク保存機能を用いて保存可能なＵＲＬ（Uniform Resource Locator）であって、複数の項目の設定値を一度に指示する構造をもつＵＲＬと制御情報とを対応付けて管理する管理手段とを備え、前記制御情報に基づいて画像処理手段を駆動することにより画像情報の入出力処理を行う画像情報入出力装置を制御するための制御方法であって、前記ＵＲＬを受信するステップと、受信された前記ＵＲＬに基づいて前記管理手段を検索し、該ＵＲＬを所定の制御情報に変換するステップと、変換された前記制御情報に基づいて、前記画像処理手段の作動を制御するステップと、前記画像処理手段により得られる画像情報を前記ＵＲＬの入力元に転送するステップと、を備えたことを特徴とする画像情報入出力装置の制御方法。」に訂正する。
　３）請求項６の
「ハイパーテキスト型の情報検索環境を有する画像情報入出力装置と、前記情報検索環境を閲覧検索するための閲覧検索手段を有する情報端末とを備えた画像情報処理システムであって、前記画像情報入出力装置は、検索情報と制御情報とを対応付けて管理する管理手段と、前記閲覧検索手段により入力された検索情報に基づいて前記管理手段を検索し、該検索情報を所定の制御情報に変換する変換手段と、前記変換手段により変換された前記制御情報に基づいて、画像処理手段の作動を制御する制御手段と、を備えて構成したことを特徴とする画像情報処理システム。」
を、
「ハイパーテキスト型の情報検索環境を有する画像情報入出力装置と、前記情報検索環境を閲覧検索するための閲覧検索手段を有する情報端末とを備えた画像情報処理システムであって、前記画像情報入出力装置は、ウェブブラウザのブックマーク保存機能を用いて保存可能なＵＲＬ（Uniform Resource Locator）であって、複数の項目の設定値を一度に指示する構造をもつＵＲＬと制御情報とを対応付けて管理する管理手段と、前記閲覧検索手段により入力されたＵＲＬに基づいて前記管理手段を検索し、該ＵＲＬを所定の制御情報に変換する変換手段と、前記変換手段により変換された前記制御情報に基づいて、画像処理手段の作動を制御する制御手段と、を備えて構成したことを特徴とする画像情報処理システム。」に訂正する。
　４）請求項１３の
「制御情報に基づいて画像処理手段を駆動することにより画像情報の入出力処理を行うためのプログラムを記録したプログラム記録媒体であって、ハイパーテキスト型の情報検索環境を生成する機能と、前記情報検索環境を利用するための検索情報と前記制御情報とを対応付けて管理する管理機能と、入力された検索情報を所定の制御情報に変換する変換機能と、をコンピュータに実現させるためのプログラムを前記コンピュータが読取り及び理解可能な形態で記録したプログラム記録媒体。」を、
「制御情報に基づいて画像処理手段を駆動することにより画像情報の入出力処理を行うためのプログラムを記録したプログラム記録媒体であって、ハイパーテキスト型の情報検索環境を生成する機能と、
　ウェブブラウザのブックマーク保存機能を用いて保存可能なＵＲＬ（Uniform Resource Locator）であって、複数の項目の設定値を一度に指示する構造をもつＵＲＬと前記制御情報とを対応付けて管理する管理機能と、入力されたＵＲＬを所定の制御情報に変換する変換機能と、
をコンピュータに実現させるためのプログラムを前記コンピュータが読取り及び理解可能な形態で記録したプログラム記録媒体。」に訂正する。
　５）請求項１７の
「ウェブサーバ機能を備え、制御情報に基づいて画像処理手段を駆動することにより画像情報の入出力処理を行う画像情報入出力装置であって、前記画像処理手段によって処理可能な処理内容に対応付けられた資源要求情報を有してなるウェブページを発生させるウェブページ発生手段と、前記資源要求情報と前記制御情報とを対応付けて管理する管理手段と、前記ウェブページを介して選択された資源要求情報を前記管理手段に基づいて所定の制御情報に変換する変換手段と、前記変換された制御情報に基づいて、前記画像処理手段の作動を制御する制御手段と、を備えたことを特徴とする画像情報入出力装置。」を、
「ウェブサーバ機能を備え、制御情報に基づいて画像処理手段を駆動することにより画像情報の入出力処理を行う画像情報入出力装置であって、ウェブブラウザのブックマーク保存機能を用いて保存可能なＵＲＬ（Uniform Resource Locator）であって、前記画像処理手段によって処理可能な処理内容に係る複数の項目の設定値を一度に指示する構造をもつＵＲＬを有してなるウェブページを発生させるウェブページ発生手段と、前記ＵＲＬと前記制御情報とを対応付けて管理する管理手段と、前記ウェブページを介して選択されたＵＲＬを前記管理手段に基づいて所定の制御情報に変換する変換手段と、前記変換された制御情報に基づいて、前記画像処理手段の作動を制御する制御手段と、を備えたことを特徴とする画像情報入出力装置。」に訂正する。
　６）請求項２１の
「ウェブサーバ機能と、資源要求情報と制御情報とを対応付けて管理する管理手段とを備え、前記制御情報に基づいて画像処理手段を駆動することにより画像情報の入出力処理を行う画像情報入出力装置を制御するための制御方法であって、前記画像処理手段によって処理可能な処理内容に対応付けられた資源要求情報を有してなるウェブページを発生させる第１ステップと、前記ウェブページを介して指示される資源要求情報を受信する第２ステップと、受信された前記資源要求情報を前記管理手段に基づいて所定の制御情報に変換する第３ステップと、変換された前記制御情報に基づいて、前記画像処理手段の作動を制御する第４ステップと、前記画像処理手段により得られる画像情報を含むウェブページを生成し、前記資源要求情報の入力元に転送する第５ステップと、を備えたことを特徴とする画像情報入出力装置の制御方法。」を、
「ウェブサーバ機能と、ウェブブラウザのブックマーク保存機能を用いて保存可能なＵＲＬ（Uniform Resource Locator）であって、複数の項目の設定値を一度に指示する構造をもつＵＲＬと制御情報とを対応付けて管理する管理手段とを備え、前記制御情報に基づいて画像処理手段を駆動することにより画像情報の入出力処理を行う画像情報入出力装置を制御するための制御方法であって、前記画像処理手段によって処理可能な処理内容に対応付けられたＵＲＬを有してなるウェブページを発生させる第１ステップと、前記ウェブページを介して指示されるＵＲＬを受信する第２ステップと、受信された前記ＵＲＬを前記管理手段に基づいて所定の制御情報に変換する第３ステップと、変換された前記制御情報に基づいて、前記画像処理手段の作動を制御する第４ステップと、
　前記画像処理手段により得られる画像情報を含むウェブページを生成し、前記ＵＲＬの入力元に転送する第５ステップと、を備えたことを特徴とする画像情報入出力装置の制御方法。」に訂正する。
　７）請求項２５の
「ウェブサーバ機能を有する画像情報入出力装置と、前記ウェブサーバを利用するためのウェブブラウザを有する情報端末とを備えた画像情報処理システムであって、前記画像情報入出力装置は、制御情報に基づいて駆動される画像処理手段と、前記画像処理手段によって処理可能な処理内容に対応付けられた資源要求情報を有してなるウェブページを発生させて前記情報端末に送信するウェブページ発生手段と、前記資源要求情報と前記制御情報とを対応付けて管理する管理手段と、前記ウェブブラウザにより前記ウェブページを介して選択された資源要求情報を前記管理手段に基づいて所定の制御情報に変換する変換手段と、前記変換された制御情報に基づいて、前記画像処理手段の作動を制御する制御手段と、を備えたことを特徴とする画像情報処理システム。」を、
ウェブサーバ機能を有する画像情報入出力装置と、前記ウェブサーバを利用するためのウェブブラウザを有する情報端末とを備えた画像情報処理システムであって、前記画像情報入出力装置は、制御情報に基づいて駆動される画像処理手段と、ウェブブラウザのブックマーク保存機能を用いて保存可能なＵＲＬ（Uniform Resource Locator）であって、前記画像処理手段によって処理可能な処理内容に係る複数の項目の設定値を一度に指示する構造をもつＵＲＬを有してなるウェブページを発生させて前記情報端末に送信するウェブページ発生手段と、前記ＵＲＬと前記制御情報とを対応付けて管理する管理手段と、前記ウェブブラウザにより前記ウェブページを介して選択されたＵＲＬを前記管理手段に基づいて所定の制御情報に変換する変換手段と、前記変換された制御情報に基づいて、前記画像処理手段の作動を制御する制御手段と、を備えたことを特徴とする画像情報処理システム。」に訂正する。
　８）請求項２９の
「制御情報に基づいて画像処理手段を駆動することにより画像情報の入出力処理を行うためのプログラムを記録したプログラム記録媒体であって、資源要求情報に応じてウェブページを提供するウェブサーバ機能と、前記画像処理手段によって処理可能な処理内容に対応付けられた資源要求情報を有してなるウェブページを発生させるウェブページ発生機能と、前記資源要求情報と前記制御情報とを対応付けて管理する管理機能と、前記ウェブページを介して選択された資源要求情報を前記管理機能に基づいて所定の制御情報に変換する変換機能と、をコンピュータに実現させるためのプログラムを前記コンピュータが読取り及び理解可能な形態で記録したプログラム記録媒体。」を、
「制御情報に基づいて画像処理手段を駆動することにより画像情報の入出力処理を行うためのプログラムを記録したプログラム記録媒体であって、ＵＲＬに応じてウェブページを提供するウェブサーバ機能と、ウェブブラウザのブックマーク保存機能を用いて保存可能なＵＲＬ（Uniform Resource Locator）であって、前記画像処理手段によって処理可能な処理内容に係る複数の項目の設定値を一度に指示する構造をもつＵＲＬを有してなるウェブページを発生させるウェブページ発生機能と、前記ＵＲＬと前記制御情報とを対応付けて管理する管理機能と、前記ウェブページを介して選択されたＵＲＬを前記管理機能に基づいて所定の制御情報に変換する変換機能と、をコンピュータに実現させるためのプログラムを前記コンピュータが読取り及び理解可能な形態で記録したプログラム記録媒体。」に訂正する。
　９）上記訂正に合わせて、請求項２，４，７，１４の「検索情報」及び請求項１８，１９，２０，２２，２３，２４，２６，２７，２８，３０〜３２の「資源要求情報」を「ＵＲＬ」に訂正する。
１０）請求項８〜１２，１５及び１６を削除する。
１１）上記削除に合わせて、請求項１３乃至１４を請求項８乃至９に、請求項１７乃至３２を請求項１０乃至２５に改める。
ｂ．発明の詳細な説明の訂正
　発明の詳細な説明の【課題を解決するための手段】及び【発明の効果】の欄の記載を上記特許請求の範囲の訂正に合せて訂正する。（上記【課題を解決するための手段】及び【発明の効果】の欄の記載は、各請求項に係る発明に対応したものである。）
（２）訂正の目的の適否、新規事項の有無及び拡張・変更の存否
　上記訂正ａは、「検索情報」あるいは「資源要求情報」と記載されていた構成を、「ウェブブラウザのブックマーク保存機能を用いて保存可能」であり、「複数の項目の設定値を一度に指示する構造をもつＵＲＬ（Uniform Resource Locator）」に限定するものであるから、特許請求の範囲の減縮に該当し、新規事項の追加に該当せず、また実質的に特許請求の範囲を拡張又は変更するものでもない。
　また、上記訂正ｂは、特許請求の範囲の減縮に伴って、明細書の明りょうでない記載の釈明をしたものであり、願書に添付した明細書に記載した事項の範囲内のものであって、実質的に特許請求の範囲を拡張又は変更するものでもない。
（３）独立特許要件
　上記請求項１８，１９，２２，２３，２６，２７，３０及び３１に係る訂正は、特許異議の申立がされていない請求項についての訂正であって、特許請求の範囲の減縮を目的としたものに該当するから、訂正明細書の請求項１１，１２，１５，１６，１９，２０，２３及び２４に係る発明の独立特許要件について検討する。
　訂正明細書の請求項１１，１２，１５，１６，１９，２０，２３及び２４に係る発明は、訂正明細書の特許請求の範囲の請求項１１，１２，１５，１６，１９，２０，２３及び２４に記載された事項により特定されたとおりのものであって、訂正明細書の請求項１１及び１２に係る発明、請求項１５及び１６に係る発明、請求項１９及び２０に係る発明、並びに請求項２３及び２４に係る発明は、それぞれ同請求項１０，２１，２５及び２９に係る発明の構成要件を全て含むものである。
　そして、当該請求項１０，２１，２５及び２９に係る発明が、下記のように、申立人が提出した全刊行物に記載された発明に基いて当業者が容易に発明をすることができたものと認めることができないので、同様の理由により、訂正明細書の請求項１１，１２，１５，１６，１９，２０，２３及び２４に係る発明は、申立人が提出した全刊行物に記載された発明に基いて当業者が容易に発明をすることができたものと認めることができない。
　したがって、訂正明細書の請求項１１，１２，１５，１６，１９，２０，２３及び２４に係る発明は、出願の際、独立して特許を受けることができるものである。
（４）むすび
　以上のとおりであるから、上記訂正は、特許法第１２０条第２項及び同条第３項において準用する同法第１２６条第２から４条の規定に適合するので、当該訂正を認める。
３．特許異議の申し立てについて
（１）申し立て理由の概要
　特許異議申立人キャノン株式会社は、下記の甲第１号証乃至７号証を提出し、本件特許明細書の請求項１、６、８、１０、１３、１５、１７、２０、２１、２４、２５、２８、２９、３２に記載の発明は、甲第１号証及び甲第２号証記載された発明、あるいはその組合せに基づいて、その出願前にその発明の属する技術の分野における通常の知識を有する者が容易に発明をすることができたものであるから、特許法第２９条第２項の規定により特許を受けることができないものであり、　又、本件特許請求の範囲の請求項１〜４、６〜１７、２０、２１、２４、２５、２８、２９、３２に記載の発明は、甲第３号証記載された発明に基づいて、その出願前にその発明の属する技術の分野における通常の知識を有する者が容易に発明をすることができたものであるから、特許法第２９条第２項の規定により特許を受けることができないものであり、　又、本件特許請求の範囲の請求項１〜１７、２０、２１、２４、２５、２８、２９、３２に記載の発明は、甲第４号証乃至甲第６号証に記載された発明と同一であるから、特許法第２９条第１項第３号の規定により特許を受けることができないものであり、　又、本件特許請求の範囲の請求項１、６、８、１０、１３、１５、１７、２０、２１、２４、２５、２８、２９、３２に記載の発明は、甲第７号証に記載された発明と同一であるから、特許法第２９条第１項第３号の規定により特許を受けることができないものであるから、上記各請求項に係る特許は、特許法第１１３条第１項第２号の規定により、取り消すべきものである旨主張している。
　　　甲第１号証：特開平９−４４５２７号公報（平成９年２月１４日　　　　　　　　　発行）
　　　甲第２号証：「Ｐｈａｓｅｒ　５５０Ｊ　ユーザ・マニュアル」　　　　　　　　　付録Ａ、Ａ−１〜Ａ−８、ソニー・テクトロニクス　　　　　　　　　株式会社（平成８（１９９６）年２月発行）
　　　甲第３号証：「Beyond the Web: manipulating the real world」　　　　　　　　　Ken Goldberg et al., Computer Networks and 
　　　　　　　　　ISDN System 28(1995)209-219, December 1995
　　　甲第４号証：特開平９−３２５９２５号公報（平成９年１月１７　　　　　　　　　日出願、平成９年１２月１６日発行）
　　　甲第５号証：特開平９−２３３２４３号公報（平成９年２月２６　　　　　　　　　日出願、平成９年９月５日発行）
　　　甲第６号証：特開平１０−１１９３９３号公報（平成８年１０月　　　　　　　　　２２日出願、平成１０年５月１２日発行）
　　　甲第７号証：特開平１０−１７３８９０号公報（平成８年１２月　　　　　　　　　９日出願、平成１０年６月２６日発行）
（２）本件発明
　本件特許第２９５９５４５号の請求項１乃至１０，１３，１４，１７，１８，２１，２２及び２５に係る発明は、訂正明細書の特許請求の範囲の請求項１乃至１０，１３，１４，１７，１８，２１，２２及び２５に記載された事項により特定されるとおりのものである。
（３）判断
　当審が通知した取消理由通知に引用された刊行物（特許異議申立人が提出した甲第４号証刊行物：特開平９−３２５９２５号公報）には、ＵＲＬを制御パラメータに変換する旨の記載は認められるものの、当該ＵＲＬを複数の項目の設定値を一度に指示する構造をもつものとする点については何ら示唆されていない。また特許異議申立人が提示したその他の甲第１乃至３，５乃至７号証刊行物には、ＵＲＬ自体を用いた制御パラメータの設定についてすら記載されていない。
　したがって、特許異議申立人が提示した甲各号証刊行物記載の発明は、いずれも本件発明の構成に欠くことができない事項である「ウェブブラウザのブックマーク保存機能を用いて保存可能なＵＲＬ（Uniform Resource Locator）であって、複数の項目の設定値を一度に指示する構造をもつＵＲＬ」を用いる点を有しておらず、また、この点を上記刊行物に記載された発明に基いて当業者が容易になし得たこととも認められない。
（４）むすび
　以上のとおりであるから、特許異議申立ての理由及び証拠によっては、本件発明についての特許を取り消すことはできない。
　また、他に本件発明についての特許を取り消すべき理由を発見しない。
４．むすび
　よって、結論のとおり決定する。
【異議決定日】
平成１２年１２月６日（２０００．１２．６）
【訂正の要旨】
訂正の要旨
▲１▼特許請求の範囲の請求項１，３，６，１３の「検索情報」及び請求項１７，２１，２５，２９の「資源要求情報」の構成を、「ウェブブラウザのブックマーク保存機能を用いて保存可能」であり、「複数の項目の設定値を一度に指示する構造をもつＵＲＬ（Ｕｎｉｆｏｒｍ　Ｒｅｓｏｕｒｃｅ　Ｌｏｃａｔｏｒ）」に限定する。
▲２▼上記訂正に合わせて、請求項２，４，７，１４の「検索情報」及び請求項１８，１９，２０，２２，２３，２４，２６，２７，２８，３０〜３２の「資源要求情報」を「ＵＲＬ」に訂正する。
▲３▼請求項８〜１２，１５及び１６を削除する。
▲４▼発明の詳細な説明の【課題を解決するための手段】及び【発明の効果】の欄の記載を上記特許請求の範囲の訂正に合せて訂正する。
（５４）【発明の名称】
画像情報入出力装置及び画像情報入出力装置の制御方法及び画像情報処理システム
（５７）【特許請求の範囲】
　　【請求項１】ハイパーテキスト型の情報検索環境を備え、制御情報に基づいて画像処理手段を駆動することにより画像情報の入出力処理を行う画像情報入出力装置であって、
　
ウェブブラウザのブックマーク保存機能を用いて保存可能なＵＲＬ（Ｕｎｉｆｏｒｍ　Ｒｅｓｏｕｒｃｅ　Ｌｏｃａｔｏｒ）であって、複数の項目の設定値を一度に指示する構造をもつＵＲＬ
　入力された
ＵＲＬ
ＵＲＬ
　前記変換手段により変換された前記制御情報に基づいて、前記画像処理手段の作動を制御する制御手段と、
を備えたことを特徴とする画像情報入出力装置。
　　【請求項２】前記管理手段は、所定の
ＵＲＬ
　前記所定の
ＵＲＬ
　前記各見本画像に対応する前記
ＵＲＬ
　前記見本画像一覧情報を前記
ＵＲＬ
を備えたことを特徴とする請求項１に記載の画像情報入出力装置。
　　【請求項３】ハイパーテキスト型の情報検索環境と、
ウェブブラウザのブックマーク保存機能を用いて保存可能なＵＲＬ（Ｕｎｉｆｏｒｍ　ＲｅＳｏｕｒｃｅ　Ｌｏｃａｔｏｒ）であって、複数の項目の設定値を一度に指示する構造をもつＵＲＬ
　前記
ＵＲＬ
　受信された前記
ＵＲＬ
ＵＲＬ
　変換された前記制御情報に基づいて、前記画像処理手段の作動を制御するステップと、
　前記画像処理手段により得られる画像情報を前記
ＵＲＬ
を備えたことを特徴とする画像情報入出力装置の制御方法。
　　【請求項４】前記管理手段は、所定の
ＵＲＬ
　前記見本画像生成要求が通知されたか否かを判定するステップと、
　前記見本画像生成要求が通知された場合には、予め設定された複数の制御情報に基づいた画像情報入出力処理の予測結果を、それぞれ見本画像として生成するステップと、
　前記各見本画像に対応する前記
ＵＲＬ
　前記見本画像一覧情報を前記
ＵＲＬ
を備えたことを特徴とする請求項３に記載の画像情報入出力装置の制御方法。
　　【請求項５】前記画像処理手段により処理されるべきデータを受信するステップを備えたことを特徴とする請求項３または請求項４のいずれかに記載の画像情報入出力装置の制御方法。
　　【請求項６】ハイパーテキスト型の情報検索環境を有する画像情報入出力装置と、前記情報検索環境を閲覧検索するための閲覧検索手段を有する情報端末とを備えた画像情報処理システムであって、
　前記画像情報入出力装置は、
ウェブブラウザのブックマーク保存機能を用いて保存可能なＵＲＬ（Ｕｎｉｆｏｒｍ　Ｒｅｓｏｕｒｃｅ　Ｌｏｃａｔｏｒ）であって、複数の項目の設定値を一度に指示する構造をもつＵＲＬ
　前記閲覧検索手段により入力された
ＵＲＬ
ＵＲＬ
　前記変換手段により変換された前記制御情報に基づいて、画像処理手段の作動を制御する制御手段と、
を備えて構成したことを特徴とする画像情報処理システム。
　　【請求項７】前記管理手段は、所定の
ＵＲＬ
　前記閲覧検索手段から前記所定の
ＵＲＬ
　前記各見本画像に対応する前記
ＵＲＬ
　前記見本画像一覧情報を前記閲覧検索手段に転送する転送手段と、
を備えたことを特徴とする請求項６に記載の画像情報処理システム。
　　【請求項８】制御情報に基づいて画像処理手段を駆動することにより画像情報の入出力処理を行うためのプログラムを記録したプログラム記録媒体であって、
　ハイパーテキスト型の情報検索環境を生成する機能と、
　
ウェブブラウザのブックマーク保存機能を用いて保存可能なＵＲＬ（Ｕｎｉｆｏｒｍ　Ｒｅｓｏｕｒｃｅ　Ｌｏｃａｔｏｒ）であって、複数の項目の設定値を一度に指示する構造をもつＵＲＬ
　入力された
ＵＲＬ
をコンピュータに実現させるためのプログラムを前記コンピュータが読取り及び理解可能な形態で記録したプログラム記録媒体。
　　【請求項９】前記管理機能は、所定の
ＵＲＬ
　前記所定の
ＵＲＬ
　前記各見本画像に対応する前記
ＵＲＬ
　前記見本画像一覧情報を前記
ＵＲＬ
をさらに備えたことを特徴とする請求項
８
　　【請求項１０】ウェブサーバ機能を備え、制御情報に基づいて画像処理手段を駆動することにより画像情報の入出力処理を行う画像情報入出力装置であって、
　
ウェブブラウザのブックマーク保存機能を用いて保存可能なＵＲＬ（Ｕｎｉｆｏｒｍ　Ｒｅｓｏｕｒｃｅ　Ｌｏｃａｔｏｒ）であって、
に係る複数の項目の設定値を一度に指示する構造をもつＵＲＬ
　前記
ＵＲＬ
　前記ウェブページを介して選択された
ＵＲＬ
　前記変換された制御情報に基づいて、前記画像処理手段の作動を制御する制御手段と、
を備えたことを特徴とする画像情報入出力装置。
　　【請求項１１】前記
ＵＲＬ
　　【請求項１２】前記ウェブページ発生手段は、受信した
ＵＲＬ
ＵＲＬ
　　【請求項１３】前記ウェブページは、前記画像処理手段によって処理可能な処理パターンの一覧を表示し、前記各処理パターンには該各処理パターンを実現するための
ＵＲＬ
　　【請求項１４】ウェブサーバ機能と、
ウェブブラウザのブックマーク保存機能を用いて保存可能なＵＲＬ（Ｕｎｉｆｏｒｍ　Ｒｅｓｏｕｒｃｅ　Ｌｏｃａｔｏｒ）であって、複数の項目の設定値を一度に指示する構造をもつＵＲＬ
　前記画像処理手段によって処理可能な処理内容に対応付けられたＵＲＬを有してなるウェブページを発生させる第１ステップと、
　前記ウェブページを介して指示される
ＵＲＬ
　受信された前記
ＵＲＬ
　変換された前記制御情報に基づいて、前記画像処理手段の作動を制御する第４ステップと、
　前記画像処理手段により得られる画像情報を含むウェブページを生成し、前記
ＵＲＬ
を備えたことを特徴とする画像情報入出力装置の制御方法。
　　【請求項１５】前記
ＵＲＬ
　　【請求項１６】前記第１ステップは、受信した
ＵＲＬ
ＵＲＬ
　　【請求項１７】前記ウェブページは、前記画像処理手段によって処理可能な処理パターンの一覧を表示し、前記各処理パターンには該各処理パターンを実現するための
ＵＲＬ
　　【請求項１８】ウェブサーバ機能を有する画像情報入出力装置と、前記ウェブサーバを利用するためのウェブブラウザを有する情報端末とを備えた画像情報処理システムであって、
　前記画像情報入出力装置は、
　制御情報に基づいて駆動される画像処理手段と、
　
ウェブブラウザのブックマーク保存機能を用いて保存可能なＵＲＬ（Ｕｎｉｆｏｒｍ　Ｒｅｓｏｕｒｃｅ　Ｌｏｃａｔｏｒ）であって、
係る複数の項目の設定値を一度に指示する構造をもつＵＲＬ
　前記
ＵＲＬ
　前記ウェブブラウザにより前記ウェブページを介して選択された
ＵＲＬ
　前記変換された制御情報に基づいて、前記画像処理手段の作動を制御する制御手段と、
を備えたことを特徴とする画像情報処理システム。
　　【請求項１９】前記
ＵＲＬ
　　【請求項２０】前記ウェブページ発生手段は、受信した
ＵＲＬ
ＵＲＬ
　　【請求項２１】前記ウェブページは、前記画像処理手段によって処理可能な処理パターンの一覧を表示し、前記各処理パターンには該各処理パターンを実現するための
ＵＲＬ
　　【請求項２２】制御情報に基づいて画像処理手段を駆動することにより画像情報の入出力処理を行うためのプログラムを記録したプログラム記録媒体であって、
ＵＲＬ
　
ウェブブラウザのブックマーク保存機能を用いて保存可能なＵＲＬ（Ｕｎｉｆｏｒｍ　Ｒｅｓｏｕｒｅ　Ｌｏｃａｔｏｒ）であって、
に係る複数の項目の設定値を一度に指示する構造をもつＵＲＬ
　前記
ＵＲＬ
　前記ウェブページを介して選択された
ＵＲＬ
をコンピュータに実現させるためのプログラムを前記コンピュータが読取り及び理解可能な形態で記録したプログラム記録媒体。
　　【請求項２３】前記
ＵＲＬ
　　【請求項２４】前記ウェブページ発生機能は、受信した
ＵＲＬ
ＵＲＬ
　　【請求項２５】前記ウェブページは、前記画像処理手段によって処理可能な処理パターンの一覧を表示し、前記各処理パターンには該各処理パターンを実現するための
ＵＲＬ
【発明の詳細な説明】
　　【０００１】
　【発明の属する技術分野】
　本発明は、例えば、スキャナ装置、プリンタ、複写機、ファクシミリ装置、デジタルスチルカメラ、デジタルビデオカメラ等の画像情報の入出力処理を行う画像情報入出力装置、画像情報入出力装置の制御方法及び画像情報処理システムに関する。
　　【０００２】
　【従来の技術】
　例えば、画像情報入出力装置としては、紙媒体上の画像を読み取るスキャナ装置や、入力された印刷データに基づいて印刷記録媒体に印刷を行うプリンタ等が知られている。そして、例えば、パーソナルコンピュータ等の各種情報端末と画像情報入出力装置との間で、画像データを送受信することにより、ユーザーは、所望の画像データを得ることができる。
　　【０００３】
　即ち、スキャナ装置の場合は、該スキャナ装置によって読み取られ、デジタルデータに変換された画像データを、画像データベースや文書作成ソフトウエア等のアプリケーションプログラムで利用することができる。また、プリンタの場合は、文書作成ソフトウエア等のアプリケーションプログラムで作成した印刷データをプリンタに入力することにより、所望の印刷結果を得ることができる。
　　【０００４】
　従来技術による画像情報入出力装置を使用する場合は、情報端末側に、該画像情報入出力装置を利用するためのドライバソフトウエアを予め実装しておく必要がある。即ち、例えば、スキャナ装置の場合は、画像データを情報端末内に読み込むための読み込みプログラムを、情報端末が備えている必要がある。また、プリンタ場合には、プリンタに印刷データを転送するためのプログラムを情報端末側で有している必要がある。
　　【０００５】
　【発明が解決しようとする課題】
　ところで、画像情報入出力装置の使用に必要なドライバソフトウエアは、各画像情報入出力装置毎に異なる。即ち、スキャナ装置に用いるドライバソフトウエアとプリンタで使用するドライバソフトウエアとは異なる。また、同様のスキャナ装置であっても、製造メーカー、品種等によってドライバソフトウエアは、それぞれ相違する。
　　【０００６】
　従って、ユーザーは、利用する画像情報入出力装置に応じたドライバソフトウエアを予め情報端末に実装しておかなければならない。しかし、ドライバソフトウエアをインストール等するのは煩雑であり、使い勝手が低い。また、例えば、カラーインクジェット式プリンタとモノクロレーザプリンタとの両方を印刷物に応じて使い分ける場合には、ドライバソフトウェアも切り換えなければならないため、操作性が低く、使い勝手が悪いという問題がある。特に、近年は、ＬＡＮ（Ｌｏｃａｌ　Ａｒｅａ　Ｎｅｔｗｏｒｋ）やイントラネット等の各種ネットワークによって画像情報入出力装置を共同利用する場合が多くなっている。ネットワークで結ばれた複数の情報端末によって複数の画像情報入出力装置を利用する場合は、上述した通り、利用する画像情報入出力装置に応じたドライバソフトウエアをセットしなければならない。
　　【０００７】
　本発明は、上記のような種々の課題に鑑みなされたものであり、その目的は、画像処理を実行させるための制御情報と情報端末から入力する情報（検索情報、指令情報または資源要求情報）とを切り離すことにより、機種に依存したドライバソフトウエアを不要とし、シームレスな操作によって所望する画像情報の入出力処理結果を得ることができるようにした画像情報入出力装置、画像情報入出力装置の制御方法及び画像情報処理システムを提供することにある。　
　　【０００８】
　また、本発明の他の目的は、画像情報の入出力処理を行うために必要な制御情報を画像情報入出力装置内に保持しておき、情報端末から入力される情報によって制御情報を間接的に指定することにより、作動を制御することができるようにした画像情報入出力装置、画像情報入出力装置の制御方法及び画像情報処理システムを提供することにある。
　　【０００９】
　本発明の更なる目的は、ハイパーテキスト型の情報検索環境（またはウェブサーバ機能）と該情報検索環境との間で双方向通信が可能な閲覧検索手段（またはウェブブラウザ）とを利用することにより、特別なドライバソフトウエアを用いることなく、種々の画像情報処理を統一された操作環境下でシームレスに行うことができるようにした画像情報入出力装置、画像情報入出力装置の制御方法及び画像情報処理システムを提供することにある。
　　【００１０】
　【課題を解決するための手段】
　上記目的達成のため、本発明に係る画像情報入出力装置では、画像処理手段によって所定の画像情報処理を行わせるために必要な制御情報を、情報端末側から発行させるのではなく、情報端末から入力する
ウェブブラウザのブックマーク保存機能を用いて保存可能なＵＲＬ（Ｕｎｉｆｏｒｍ　Ｒｅｓｏｕｒｃｅ　Ｌｏｃａｔｏｒ）であって、複数の項目の設定値を一度に指示する構造をもつＵＲＬ
　　【００１１】
　本発明に係る画像情報入出力装置１は、ハイパーテキスト型の情報検索環境２を備え、制御情報に基づいて画像処理手段３を駆動することにより画像情報の入出力処理を行う画像情報入出力装置であって、
ウェブブラウザのブックマーク保存機能を用いて保存可能なＵＲＬ（Ｕｎｉｆｏｒｍ　Ｒｅｓｏｕｒｃｅ　Ｌｏｃａｔｏｒ）であって複数の項目の設定値を一度に指示する構造をもつＵＲＬ（図１中では「検索１〜ｎ」と表示）
ＵＲＬ
ＵＲＬ
　　【００１２】
　ここで、「画像情報入出力装置１」とは、画像情報の入力装置、画像情報の出力装置、画像情報の入力及び出力が可能な装置を含む概念である。画像情報の入力装置には、例えば、スキャナ装置、フィルムスキャナ装置、デジタルスチルカメラ、デジタルビデオカメラ等が含まれる。画像情報の出力装置には、例えば、プリンタ、プロッタ、ディスプレイ装置等が含まれる。画像情報の入力及び出力が可能な装置としては、例えば、ファクシミリ装置等が含まれる。
　　【００１３】
　「ハイパーテキスト型の情報検索環境２」とは、複数の情報資源を相互に関連付けしてなるハイパーテキストを検索、閲覧可能な環境を意味し、具体的には、例えば、ＷＷＷ（Ｗｏｒｌｄ　Ｗｉｄｅ　ウェブ）サーバ機能が該当する。
　　【００１４】
　「画像処理手段３」とは、画像情報を入力、出力、入出力するための手段を意味し、具体的には、例えば、プリントエンジンや画像データ読取り部等が該当する。
　　【００１５】
　「制御情報」とは、画像処理手段３の作動を制御するために必要な情報を意味し、具体的には、例えば、カラー／モノクロの指定、読み込み解像度の指定等の設定値が含まれる。設定値以外の制御コード等を含めてもよい。
　　【００１６】
　また、「
ＵＲＬ
ウェブブラウザのブックマーク保存機能を用いて保存可能なＵＲＬ（Ｕｎｉｆｏｒｍ　Ｒｅｓｏｕｒｃｅ　Ｌｏｃａｔｏｒ）であって、複数の項目の設定値を一度に指示する構造をもつ。
　　【００１７】
　画像情報入出力装置１の外部から
ＵＲＬ
ＵＲＬ
ＵＲＬ
ＵＲＬ
例えば、「ｈｔｔｐ：／／ｘｘｘ／ａｃｔｉｏｎ／３００ｄｐｉ／」というＵＲＬが入力された場合は、予め管理テーブル４内に「ａｃｔｉｏｎ／３００ｄｐｉ／」が「読込み解像度３００ｄｐｉで画像を読み取る」という意味の制御情報に対応付けされているならば、該ＵＲＬは変換手段５によって制御情報に変換され、これにより、３００ｄｐｉの画像読込み動作が実行される。一方、例えば、「ｈｔｔｐ：／／ｘｘｘ／ｓｔａｔｕｓ．ｈｔｍｌ／」というＵＲＬが入力された場合、「ｓｔａｔｕｓ．ｈｔｍｌ」が管理テーブル４に登録されていなければ、通常の
ＵＲＬ
　　【００１８】
　
ＵＲＬ
ＵＲＬ
ＵＲＬ
　　【００１９】
　請求項２に係る発明では、前記管理テーブル４は、所定の
ＵＲＬ
ＵＲＬ
ＵＲＬ
ＵＲＬ
　　【００２０】
　ここで、「見本画像」とは、実際に行われる画像情報処理の入出力結果を予測して生成される画像を意味する。制御情報によって設定された条件で画像情報を実際に入出力処理する前に、見本画像によって処理結果を確認する。見本画像としては、例えば、実際の画像情報処理により得られる画像情報を間引きした小画像（サムネイル画像）が該当する。
　　【００２１】
　複数の制御情報によって得られる各見本画像に
ＵＲＬ
ＵＲＬ
ＵＲＬ
ＵＲＬ
　　【００２２】
　請求項３に係る画像情報入出力装置の制御方法では、ハイパーテキスト型の情報検索環境２と、
ウェブブラウザのブックマーク保存機能を用いて保存可能なＵＲＬ（Ｕｎｉｆｏｒｍ　Ｒｅｓｏｕｒｃｅ　Ｌｏｃａｔｏｒ）であって複数の項目の設定値を一度に指示する構造をもつＵＲＬ
ＵＲＬ
ＵＲＬ
ＵＲＬ
ＵＲＬ
　　【００２３】
　これにより、請求項１に係る発明と同様の作用を得ることができる。
　　【００２４】
　請求項４に係る発明では、前記管理テーブル４は、所定の
ＵＲＬ
ＵＲＬ
ＵＲＬ
　　【００２５】
　これにより、請求項２に係る発明と同様の作用を得ることができる。
　　【００２６】
　請求項５に係る発明では、前記画像処理手段３により処理されるべきデータを受信するステップを備えたことを特徴としている。
　　【００２７】
　「画像処理手段３により処理されるべきデータ」とは、例えば、プリントエンジンに与えられるビットイメージデータ等の画像情報として入出力処理されるデータを意味する。なお、「画像処理手段３により処理されるべきデータを受信するデータ受信手段」として、請求項１に係る発明に加えることも可能である。
　　【００２８】
　請求項６に係る画像情報処理システムでは、ハイパーテキスト型の情報検索環境２を有する画像情報入出力装置１と、前記情報検索環境２を閲覧検索するための閲覧検索手段１２を有する情報端末１１とを備えた画像情報処理システムであって、前記画像情報入出力装置１は、
ウェブブラウザのブックマーク保存機能を用いて保存可能なＵＲＬ（Ｕｎｉｆｏｒｍ　Ｒｅｓｏｕｒｃｅ　Ｌｏｃａｔｏｒ）であって複数の項目の設定値を一度に指示する構造をもつＵＲＬ
ＵＲＬ
ＵＲＬ
　　【００２９】
　ここで、「情報端末１１」とは、例えば、パーソナルコンピュータや携帯情報端末等を意味する。これに限らず、画像情報入出力装置１の制御パネルとして、画像情報入出力装置１に一体的に搭載される場合も含む。情報端末１１は、
ＵＲＬ
　　【００３０】
　ユーザーは、閲覧検索手段１２によって、画像情報入出力装置１や他の種々の装置に実装されたハイパーテキスト型の情報検索環境２を利用することができると共に、管理テーブル４に予め登録された所定の
ＵＲＬ
ＵＲＬ
ＵＲＬ
ＵＲＬ
　　【００３１】
　請求項７に係る発明では、前記管理テーブル４は、所定の
ＵＲＬ
ＵＲＬ
ＵＲＬ
　　【００３２】
　これにより、ユーザーは、閲覧検索手段１２を介して見本画像を見比べることができ、所望の見本画像を選択することができる。各見本画像には、該各見本画像に係る画像情報処理を行うための制御情報に対応した
ＵＲＬ
ＵＲＬ
　　【００３３】
　
本
、選
ＵＲＬ（図２中では「指令１〜ｎ」と表示）
てい
　　【００３４】
　一度選択した
ＵＲＬ
　　【００３５】
　請求項８に係る発明は、制御情報に基づいて画像処理手段を駆動することにより画像情報の入出力処理を行うためのプログラムを記録したプログラム記録媒体であって、ハイパーテキスト型の情報検索環境を生成する機能と、
ウェブブラウザのブックマーク保存機能を用いて保存可能なＵＲＬ（Ｕｎｉｆｏｒｍ　Ｒｅｓｏｕｒｅ　Ｌｏｃａｔｏｒ）であって複数の項目の設定値を一度に指示する構造をもつＵＲＬ
ＵＲＬ
　　【００３６】
　ここで、「記録媒体」としては、例えば、フロッピーディスク、ハードディスク、コンパクトディスク、光磁気ディスク、磁気テープ、メモリ等の種々の記録媒体を採用することができる。また、有形的な記録媒体に限らず、例えば、通信回線を介してプログラムをリモートダウンロードする等のように、通信媒体を利用することもできる。
　　【００３７】
　このプログラムを画像情報入出力装置のマイクロコンピュータシステムに読み込ませることにより、ハイパーテキスト型の情報検索環境と、管理機能と、変換機能とを備えた装置が実現される。従って、請求項１に係る発明と同様の作用を得ることができる。
　　【００３８】
　請求項９に係る発明のように、前記管理機能は、所定の
ＵＲＬ
ＵＲＬ
ＵＲＬ
ＵＲＬ
　　【００３９】
　これにより、請求項２に係る発明と同様の作用を得ることができる。
　　【００４０】
　請求項１０に係る発明では、ウェブサーバ機能を備え、制御情報に基づいて画像処理手段を駆動することにより画像情報の入出力処理を行う画像情報入出力装置であって、
ウェブブラウザのブックマーク保存機能を用いて保存可能なＵＲＬ（Ｕｎｉｆｏｒｍ　Ｒｅｓｏｕｒｃｅ　Ｌｏｃａｔｏｒ）であって、
に係る複数の項目の設定値を一度に指示する構造をもつＵＲＬ
ＵＲＬ
ＵＲＬ
　　【００４１】
　ここで
、「
　　【００４２】
　ウェブページ発生手段は、例えば、処理内容毎に
ＵＲＬ
ＵＲＬ
ＵＲＬ
ＵＲＬ
　　【００４３】
　請求項１１に係る発明のように、前記
ＵＲＬ
　　【００４４】
　ここで、「履歴情報」とは、一連の選択操作において、過去に選択された処理内容の選択履歴を示す情報の意味である。例えば、前の選択操作によって解像度が既に選択されている場合、ウェブページに対応付けられる
ＵＲＬ
ＵＲＬ
ＵＲＬ
ＵＲＬ
ＵＲＬ
　　【００４５】
　例えば、請求項１２に係る発明のように、前記ウェブページ発生手段は、受信した
ＵＲＬ
ＵＲＬ
　　【００４６】
　即ち、ウェブページ発生手段は、入力された
ＵＲＬ
ＵＲＬ
ＵＲＬ
ＵＲＬ
ＵＲＬ
　　【００４７】
　請求項１３に係る発明では、前記ウェブページは、前記画像処理手段によって処理可能な処理パターンの一覧を表示し、前記各処理パターンには該各処理パターンを実現するための
ＵＲＬ
　　【００４８】
　即ち、ウェブページには、「６００ｄｐｉ＋ディザ処理」（ｈｔｔｐ：／／ｘｘｘ／６００／ディザ／）、「６００ｄｐｉ＋誤差拡散法」（ｈｔｔｐ：／／ｘｘｘ／６００／誤差拡散／）、「３００ｄｐｉ＋ディザ処理」（ｈｔｔｐ：／／ｘｘｘ／３００／ディザ／）、「３００ｄｐｉ＋誤差拡散法」（ｈｔｔｐ：／／ｘｘｘ／３００／誤差拡散／）等のように、予め選択可能な処理パターンの一覧が表示されており、各処理パターンには、当該処理パターンを実現するための
ＵＲＬ
　　【００４９】
　請求項１４に係る発明では、ウェブサーバ機能と、
ウェブブラウザのブックマーク保存機能を用いて保存可能なＵＲＬ（Ｕｎｉｆｏｒｍ　Ｒｅｓｏｕｒｃｅ　Ｌｏｃａｔｏｒ）であって、複数の項目の設定値を一度に指示する構造をもつＵＲＬ
ＵＲＬ
ＵＲＬ
ＵＲＬ
ＵＲＬ
　　【００５０】
　これにより、請求項１０に係る発明と同様の作用を得ることができる。
　　【００５１】
　請求項１５に係る発明のように、前記
ＵＲＬ
　　【００５２】
　これにより、請求項１１に係る発明と同様の作用を得ることができる。
　　【００５３】
　また、請求項１６に係る発明のように、前記第１ステップは、受信した
ＵＲＬ
∪ＲＬ
　　【００５４】
　これにより、請求項１２に係る発明と同様の作用を得ることができる。
　　【００５５】
　請求項１７に係る発明のように、前記ウェブページは、前記画像処理手段によって処理可能な処理パターンの一覧を表示し、前記各処理パターンには該各処理パターンを実現するための
ＵＲＬ
　　【００５６】
　これにより、請求項１３に係る発明と同様の作用を得ることができる。
　　【００５７】
　請求項１８に係る発明では、ウェブサーバ機能を有する画像情報入出力装置と、前記ウェブサーバを利用するためのウェブブラウザを有する情報端末とを備えた画像情報処理システムであって、前記画像情報入出力装置は、制御情報に基づいて駆動される画像処理手段と、
ウェブブラウザのブックマーク保存機能を用いて保存可能なＵＲＬ（Ｕｎｉｆｏｒｍ　Ｒｅｓｏｕｒｃｅ　Ｌｏｃａｔｏｒ）であって、
に係る複数の項目の設定値を一度に指示する構造をもつＵＲＬ
ＵＲＬ
ＵＲＬ
　　【００５８】
　これにより、特有のドライバソフトウエアをインストールすることなく、情報端末側のウェブブラウザによって、画像情報入出力装置を操作でき、請求項１０に係る発明と同様の作用を得ることができる。
　　【００５９】
　請求項１９に係る発明のように、前記
ＵＲＬ
　　【００６０】
　これにより、請求項１１に係る発明と同様の作用を得ることができる。
　　【００６１】
　請求項２０に係る発明のように、前記ウェブページ発生手段は、受信した
ＵＲＬ
ＵＲＬ
　　【００６２】
　これにより、請求項１２に係る発明と同様の作用を得ることができる。
　　【００６３】
　請求項２１に係る発明のように、前記ウェブページは、前記画像処理手段によって処理可能な処理パターンの一覧を表示し、前記各処理パターンには該各処理パターンを実現するための
ＵＲＬ
　　【００６４】
　これにより、請求項１３に係る発明と同様の作用を得ることができる。
　　【００６５】
　請求項２２に係る発明は、制御情報に基づいて画像処理手段を駆動することにより画像情報の入出力処理を行うためのプログラムを記録したプログラム記録媒体であって、
ＵＲＬ
ウェブブラウザのブックマーク保存機能を用いて保存可能なＵＲＬ（Ｕｎｉｆｏｒｍ　Ｒｅｓｏｕｒｃｅ　Ｌｏｃａｔｏｒ）であって、
に係る複数の項目の設定値を一度に指示する構造をもつＵＲＬ
ＵＲＬ
ＵＲＬ
　　【００６６】
　これにより、請求項１０に係る発明と同様の作用を得ることができる。
　　【００６７】
　請求項２３に係る発明のように、前記
ＵＲＬ
　　【００６８】
　これにより、請求項１１に係る発明と同様の作用を得ることができる。
　　【００６９】
　請求項２４に係る発明では、前記ウェブページ発生機能は、受信した
ＵＲＬ
ＵＲＬ
　　【００７０】
　これにより、請求項１２に係る発明と同様の作用を得ることができる。
　　【００７１】
　請求項２５に係る発明では、前記ウェブページは、前記画像処理手段によって処理可能な処理パターンの一覧を表示し、前記各処理パターンには該各処理パターンを実現するための
ＵＲＬ
　　【００７２】
　これにより、請求項１３に係る発明と同様の作用を得ることができる。
　　【００７３】
　【発明の実施の形態】
　以下、図面に基づいて本発明の実施の形態について詳細に説明する。
　　【００７４】
１．第１の実施の形態
　図３〜図８は、本発明の第１の実施の形態に関わり、図１は、本実施の形態による画像情報処理システムのブロック構成図である。
　　【００７５】
１−１スキャナ装置の機能構成
　本実施の形態による「画像情報入出力装置」としてのスキャナ装置４１は、それぞれ後述するように、ネットワーク接続部４２と、画像データ読取り部４３と、駆動制御部４４と、設定部４５と、ウェブサーバ部４６とを含んで構成されている。
　　【００７６】
　ネットワーク接続部４１は、通信回線１００を介して後述の情報端末６１と双方向通信を行うためのものであり、具体的には、例えば、ＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）、ＨＴＴＰ（ＨｙｐｅｒＴｅｘｔ　Ｔｒａｎｓｆｅｒ　Ｐｒｏｔｏｃｏｌ）等のプロトコル群等を備えて構成されている。
　　【００７７】
　画像データ読取り部４３は、例えば、ラインＣＣＤ等の撮像素子及び光源からなる光学系と、該光学系を走査させるための光学系駆動機構とを備えて構成されている。光源から原稿等の読取り対象物に入射して反射した反射光を撮像素子で光電変換しつつ、光学系を走査することにより、画像データを読み込むことができる。
　　【００７８】
　駆動制御部４４は、画像読取り部４３の駆動を制御するためのものであり、画像読取り部４３と共に「画像処理手段」を構成している。駆動制御部４４は、例えば、光学系駆動機構を制御する駆動機構制御部と、撮像素子からの出力信号を処理する信号処理部とを備えて構成されている。
　　【００７９】
　設定部４５は、駆動制御部４４に対して「制御情報」としての各種設定値を入力するためのものであり、「制御手段」を構成している。より具体的には、設定部４５は、読込み解像度、中間階調の処理アルゴリズム等の各種設定値を駆動制御部４４に入力し、所定のモードで画像データを読み込ませるものである。
　　【００８０】
　ウェブサーバ部４６は、ＷＷＷサーバ機能を実現するものであり、「ハイパーテキスト型の情報検索環境」に該当する。ウェブサーバ部４６は、情報端末６１からＵＲＬで指定されたＨＴＭＬ形式のファイルを、ＨＴＴＰに従って転送等する機能を備えている。
　　【００８１】
　ウェブサーバ部４６は、情報端末６１から入力されるＵＲＬ等のＨＴＴＰリクエストを受信するためのＨＴＴＰリクエスト受信部４７と、該ＨＴＴＰリクエストに応答して情報端末６１に返送されるＨＴＴＰレスポンスを作成するためのＨＴＴＰレスポンス作成部４８と、ＵＲＬ解釈部４９と、管理テーブル５０と、フォーマット作成部５１とを備えている。
　　【００８２】
　「変換手段」としてのＵＲＬ解釈部４９は、ＨＴＴＰリクエスト受信部４７を介して入力されたＵＲＬを管理テーブル５０を検索することにより解釈するものである。図４の説明図に示すように、管理テーブル５０には、ＵＲＬの種類毎に所定の設定値が予め対応付けられて記憶されている。具体的には、例えば、読込み解像度、中間階調め処理アルゴリズム等の各項日別にそれぞれの設定値が記憶されている。また、スキャナ装置４１に割り当てられたＩＰアドレスには、「見本画像一覧情報」あるいは「処理内容一覧情報」を生成させるための設定値が対応付けられている。従って、例えば、「ｈｔｔｐ：／／ｘｘｘ／Ｂ６００．ｈｔｍｌ」というＵＲＬが入力された場合、ＵＲＬ解釈部４９は、このＵＲＬに基づいて管理テーブル５０を検索することにより、該ＵＲＬを「誤差拡散法で処理される読込み解像度６００ｄｐｉで画像データを読み込む」という処理を実現させる設定値に変換する。
　　【００８３】
　フォーマット作成部５１は、画像データ読取り部４３によって読み取られた画像データを、例えば、ＪＰＥＧ（Ｊｏｉｎｔ　Ｐｈｏｔｏｇｒａｐｈｉｃ　Ｅｘｐｅｒｔｓ　Ｇｒｏｕｐ）やＧＩＦ（Ｇｒａｐｈｉｃｓ　Ｉｎｔｅｒｃｈａｎｇｅ　Ｆｏｒｍａｔ）等のウェブブラウザで閲覧可能な形式の画像ファイルに変換するものである。この所定フォーマットの画像ファイルは、ＨＴＴＰレスポンス作成部４８によりＨＴＭＬ形式ファイルに埋め込まれる。
　　【００８４】
　１−２情報端末６１の機能構成
　例えば、パーソナルコンピュータや携帯情報端末等の情報端末６１は、ウェブサーバ部４６を利用するＷＷＷクライアントである。情報端末６１は、ネットワーク接続部６２と、ウェブブラウザ６３と、入力装置６４と、表示装置６５とを備えて構成されている。
　　【００８５】
　ネットワーク接続部６２は、スキャナ装置４１のネットワーク接続部４２と同様に、ＴＣＰ／ＩＰ，ＨＴＴＰ等のプロトコル群を備えて構成されている。
　　【００８６】
　「閲覧検索手段」としてのウェブブラウザ６３は、ウェブサーバ部４６のＨＴＭＬ形式ファイルを閲覧・検索するものである。例えば、「ｈｔｔｐ：／／サーバ名／ディレクトリ名／ファイル名」等のように、「検索情報」または「指令情報」としてのＵＲＬによってＨＴＭＬ形式ファイルを指定することにより、該ファイルを閲覧することができる。また、ウェブブラウザ６３によって所定のＵＲＬ、即ち、管理テーブル５０に予め登録されたＵＲＬをウェブサーバ部４６に入力することにより、所望する設定条件で画像データを読み取らせることができるようになっている。
　　【００８７】
　入力装置６４は、ＵＲＬ等を入力するためのものであり、例えば、キーボードスイッチやポインティングデバイス等を用いることができる。また、表示装置６５は、閲覧内容等を表示するためのものであり、例えば、ＣＲＴや液晶ディスプレイ等を用いることができる。
　　【００８８】
　１−３　作用
　次に、図５〜図８に基づいて本実施の形態の作用を説明する。図５は、ウェブブラウザ６３により実行される閲覧検索処理を示すフローチャートである。閲覧検索手段６３に入力されるＵＲＬに応じて、見本画像の転送要求等を行うことができる。
　　【００８９】
　ステップ（以下「Ｓ」と略記）１で、ＵＲＬの入力が行われると、これにより生じたＨＴＴＰリクエストがネットワーク接続部６２を介してスキャナ装置４１に転送される。そして、このＨＴＴＰリクエストに応じてスキャナ装置４１から返送されるＨＴＭＬ形式ファイルの受信待ちを行う（Ｓ３）。
　　【００９０】
　スキャナ装置４１からＨＴＭＬ形式ファイルが入力された場合は、このＨＴＭＬ形式ファイルを表示装置６５に表示する（Ｓ４）。次に、ＨＴＭＬファイルに埋め込まれたリンク情報としてのタグを検出し（Ｓ５）、このタグによってリンクされたＪＰＥＧ等の画像ファイルを要求するＨＴＴＰリクエストをスキャナ装置４１に転送する（Ｓ６）。なお、ここで、画像ファイルの転送要求は、ＧＥＴコマンド等を利用して行うことができる。Ｓ６で発行されたＨＴＴＰリクエストに応じて、スキャナ装置４１から画像ファイルが入力されると（Ｓ７）、この画像ファイルは表示装置６５によって表示される（Ｓ８）。Ｓ３で受信したＨＴＭＬ形式ファイルに埋め込まれた全ての画像ファイルを受信するまで、Ｓ５〜Ｓ８の処理が繰り返され（Ｓ９）、全ての画像ファイルを受信した場合には処理を終了する。
　　【００９１】
　注意すべきは、Ｓ１で入力するＵＲＬによって、Ｓ１〜Ｓ９の具体的処理内容が相違する点である。換言すれば、入力するＵＲＬを変化させるだけで、図５に示すフローチャートを種々の形式で利用することができる。
　　【００９２】
（１）サムネイル画像の表示を要求する場合
　「見本画像」としてのサムネイル画像は、本来得られる画像データを間引きした小画像データである。本実施の形態では、サムネイル画像によって、正式な画像読込みを行う前の予測結果（プレスキャン）を示している。後述する図７に示すように、本実施の形態では、スキャナ装置４１によって実現可能な種々の画像読取りモードを、複数のサムネイル画像を埋め込んだＨＴＭＬ形式ファイルによって、情報端末６１に提示するようになっている。
　　【００９３】
　サムネイル画像の一覧を要求するためのＵＲＬは、例えば、スキャナ装置４１のＩＰアドレスとして指定されている。即ち、Ｓ１で入力するＵＲＬが、「ｈｔｔｐ：／／ＩＰアドレス／」のみであり、後続するディレクトリ名、ファイル名等を伴っていない場合は、ＵＲＬ解釈部４９は、このＵＲＬを「サムネイル画像一覧の生成要求」として解釈する。
　　【００９４】
　そして、スキャナ装置４１からサムネイル画像を表示するメニュー画面としてのＨＴＭＬ形式ファイルが入力されると（Ｓ３，Ｓ４）、このＨＴＭＬ形式ファイルに埋め込まれた各サムネイル画像の画像ファイル転送をそれぞれ要求し、ＨＴＭＬと共に表示する（Ｓ５〜Ｓ９）。
　　【００９５】
（２）画像読取りを指示する場合
　情報端末６１からスキャナ装置４１に対して画像の読取りを指示する場合は、読込み解像度や中間階調の処理アルゴリズム等の各種設定値をＵＲＬを介して間接的に指示する。例えば、「ｈｔｔｐ：／／ＩＰアドレス／アルゴリズム選択／解像度選択／」のような構造のＵＲＬをＳ１で入力すると、ＵＲＬ解釈部４９は、この入力されたＵＲＬを画像読込み処理に必要な各種設定値に変換する。そして、この指示された画像読込みモードによって画像の読込みが行われると、スキャナ装置４１からスキャン結果を示すＨＴＭＬ形式ファイルが入力され（Ｓ３，Ｓ４）、該ＨＴＭＬ形式ファイルに埋め込まれた画像ファイルが表示される（Ｓ５〜Ｓ９）。
　　【００９６】
（３）他の装置の作動を指示する場合
　通信回線１００を介して他の画像情報入出力装置が接続されている場合、該画像情報入出力装置が、本実施の形態と同様の機能を果たすウェブサーバ部を実装していれば、当該ウェブサーバ部に予め登録された所定のＵＲＬをＳ１で入力することにより、画像情報入出力装置を操作することができる。
　　【００９７】
（４）通常のウェブブラウザとして用いる場合
　例えば、インターネット上のＷＷＷサーバにアクセスしてウェブページ等を閲覧する場合は、Ｓ１で、所望するＷｅｂページのＵＲＬを入力すればよい。これにより、ＷＷＷサーバとの双方向通信が行われる。
　　【００９８】
　次に、図６のフローチャートに基づいて、スキャナ装置４１側で行われる処理を説明する。
　　【００９９】
　まず、情報端末６１から入力されるＨＴＴＰリクエストを受信すると（Ｓ１１）、ＨＴＴＰリクエスト内のＵＲＬを抽出する（Ｓ１２）。ＵＲＬ解釈部４９は、抽出したＵＲＬに基づいて管理テーブル５０を検索し、ＵＲＬを設定値に変換する（Ｓ１３）。変換された設定値は、ＵＲＬ解釈部４９から設定部４５に入力され、設定部４５によって駆動制御部４４にセットされる（Ｓ１４）。Ｓ１１で入力された全てのＵＲＬ、正確にはＵＲＬの各構成部分が全て変換されるまで、Ｓ１３，Ｓ１４の処理が繰り返される（Ｓ１５）。
　　【０１００】
　次に、サムネイル画像の生成を行うためのプレスキャンが指示されたか否かを判定する（Ｓ１６）。上述した通り、Ｓ１１で入力されるＵＲＬがスキャナ装置４１のＩＰアドレスのみである場合は、ブレスキャンの実行が要求されていると判定する。但し、当業者であれば、容易に理解できるように、本発明はこれに限定されない。例えば、「ｈｔｔｐ：／／ＩＰアドレス／プレスキャン／」という構造のＵＲＬによって、プレスキャンを行わせる構成とすることもできる。
　　【０１０１】
　なお、ＵＲＬの解釈の結果、プレスキャンであるか本来のスキャンであるかは一義的に定まるため、Ｓ１６の判定ステップはプログラム上に現れない可能性がある。Ｓ１６は、発明の理解に資するためのものである。
　　【０１０２】
　Ｓ１１で入力されたＵＲＬがプレスキャン実行の設定値を指示している場合、プレスキャンが行われる（Ｓ１７）。具体的には、例えば、７２＊７２ｄｐｉの間引き画像が得られるように、原稿等の画像を速やかに読み取る。読み取られた画像は、フォーマット作成部５１により、例えば、ＪＰＥＧやＧＩＦ等のＷＷＷで利用可能な所定の画像フォーマットに変換される（Ｓ１９）。ＨＴＴＰレスポンス作成部４８は、画像ファイルをＨＴＭＬ形式ファイルにタグを介して埋め込むことにより、ＨＴＴＰレスポンスを作成する（Ｓ２０）。このＨＴＴＰレスポンスとして作成されたＨＴＭＬ形式ファイルは、ネットワーク接続部４２を介して情報端末６１に転送される（Ｓ２１）。
　【０１０３】
　一方、Ｓ１１で入力されたＵＲＬが、正式なスキャンの実行に係る設定値を指示している場合は、この指定された各設定条件に従って画像が読み取られる（Ｓ１８）。読み取られた画像は、所定フォーマットの画像ファイルに変換される（Ｓ１９）。そして、ＨＴＭＬ形式ファイルが作成され（Ｓ２０）、このＨＴＭＬ形式ファイルは情報端末６１に転送される（Ｓ２１）。
　【０１０４】
　図７及び図８に基づいてＵＲＬによる設定値の指示方法等を説明する。図７は、サムネイル画像を一覧表示した状態の画面である。上述した通り、このサムネイル画像一覧表示画面は、スキャナ装置４１で実行可能な画像読込み設定を網羅的に示すメニュー画面としての性質を有する。
　【０１０５】
　例えば、図７中の左上は、ディザ法により処理される解像度６００ｄｐｉで読み取った場合の予測画像（Ａ６００．ｈｔｍｌ）、図７中の右上は、誤差拡散法により処理される解像度６００ｄｐｉで読み取った場合の予測画像、図７中の左下は、ディザ法により処理される解像度３００ｄｐｉで読み取った場合の予測画像、図７中の右下は、誤差拡散法により処理される解像度３００ｄｐｉで読み取った場合の予測画像を、それぞれ示している。
　　【０１０６】
　従って、ユーザーは、各サムネイル画像を見比べることにより、最も好ましい画像読込み条件（設定値）を選択することができる。選択は、例えば、好ましいサムネイル画像をポインティングデバイス等で選択することにより行うことができる。また、キーボードスイッチ等によって所望のＵＲＬを直接入力することもできる。ユーザーがＵＲＬの選択入力を行うと、このＵＲＬがＨＴＴＰリクエストとしてスキャナ４１に転送され、所望の画像読込みが行われる。読み込まれた画像は、ＨＴＭＬ形式ファイルとして情報端末６１に返送され、図８に示すように、画面表示される。
　　【０１０７】
　表示された読取り画像をユーザーが気に入った場合は、選択したＵＲＬを保存することができる。即ち、ウェブブラウザ６３は、ＵＲＬを保存する「Ｂｏｏｋｍａｒｋ保存」という機能を標準的に備えている。従って、この「Ｂｏｏｋｍａｒｋ保存」を利用することにより、画像読取りに用いたＵＲＬを簡単に保存することができる。
　　【０１０８】
　このように構成される本実施の形態によれば、以下の効果を奏する。
　　【０１０９】
　第１に、スキャナ装置４１にウェブサーバ部４６を実装し、ウェブブラウザ６３を介して入力するＵＲＬにより、スキャナ装置４１の諸設定を間接的に指定することができるため、従来技術のように各装置専用のドライバソフトウエアを情報端末６１にインストールする手間がなく、ウェブブラウザ６３という統一された操作環境下でシームレスにスキャナ装置４１を作動させることができる。
　　【０１１０】
　特に、ウェブブラウザ６３は、通常の情報端末６１における実質的な標準装備であるため、ユーザーは、専用ドライバソフトウエアを入手してインストールしたり、ドライバソフトウエアの操作方法を習得する必要がない。また、Ｗｅｂページの収集、スキャナ装置４１の作動等を滑らかに行うことができる。
　　【０１１１】
　第２に、各装置毎に異なる専用ドライバソフトウエアが不要となるため、情報端末６１側のメモリ負担、ＣＰＵ負荷を少なくすることができる。
　　【０１１２】
　第３に、実際の正式な画像読込みを行う前に、処理結果の予測を示すサムネイル画像の一覧を表示できるため、所望の画像データを効率的に入手することができる。
　　【０１１３】
　第４に、使用したＵＲＬを保存できるため、選択した画像情報入出力装置のアドレスと使用した設定値とを一括して保存でき、次回の画像読込みを速やかに行わせることができる。
　　【０１１４】
　第５に、目的ごとに選択した最適な設定値を複数ＵＲＬの形で保存することができ、次回の装置利用時に再度設定値を選び直す必要がなく、直ちに前回と同じ設定で利用することができる。
　　【０１１５】
　第６に、本発明に係るウェブサーバ機能を備えた画像情報入出力装置がネットワーク上に複数存在する場合には、ＵＲＬのうち装置アドレスのみを変更するだけで、当該画像情報入出力装置を利用して前回と同設定の処理を行わせることができる。
　　【０１１６】
　第７に、情報端末の実質的な標準装備である閲覧検索手段を用いて画像情報入出力装置を操作することができるため、要求に応じてドライバソフトウエアを情報端末側に送り込む方法とは異なり、直ちに画像情報入出力装置を操作することができる。
　　【０１１７】
　２．第２の実施の形態
　次に、図９〜図１２に基づき本発明の第２の実施の形態を説明する。なお、以下の各実施の形態では、上述した第１の実施の形態と同一の構成要素に同一の符号を付し、その説明を省略するものとする。本実施の形態の特徴は、画像情報入出力装置としてのプリンタに適用した点にある。
　　【０１１８】
　２−１　プリンタの機能構成
　本実施の形態によるプリンタ７１は、ネットワーク接続部７２と、プリントエンジン７３と、駆動部制御部７４と、イメージ作成部７５と、設定部７６と、ウェブサーバ部７７とを備えて構成されている。
　　【０１１９】
　ネットワーク接続部７２は、第１の実施の形態で述べたネットワーク接続部４２と同様に、ＴＣＰ／ＩＰ、ＨＴＴＰ等のプロトコル群を実装している。プリントエンジン７３は、印刷記録媒体に印刷を行うためのものであり、例えば、インクジェット式、レーザ式等の種々のエンジンを採用することができる。
　　【０１２０】
　駆動部制御部７４は、プリントエンジン７３の作動を制御するものであり、イメージ作成部７５は、プリントエンジン７３に与える印刷イメージデータを作成するためのものである。ここで、プリントエンジン７３と駆動部制御部７４とイメージ作成部７５とによって、「画像処理手段」が構成されている。
　　【０１２１】
　「ハイパーテキスト型情報検索環境」としてのウェブサーバ部７７は、第１の実施の形態で述べたウェブサーバ部４６と同様に、プリンタ７１内にウェブサーバ機能を実現するためのものである。ウェブサーバ部７７には、ＨＴＴＰリクエスト受信部７８と、ＨＴＴＰレスポンス作成部７９と、ＵＲＬ解釈部８０と、管理テーブル８１とが設けられている。
　　【０１２２】
　第１の実施の形態と同様に、管理テーブル５０には、例えば、印刷解像度、カラー指定、中間階調のアルゴリズム指定等の各種設定値が「制御情報」として登録されており、これら各設定値には、それぞれ所定のＵＲＬが予め対応付けられている。情報端末６１からＨＴＴＰリクエスト受信部７８等を介して入力されたＵＲＬは、「変換手段」としてのＵＲＬ解釈部８０によって所定の設定値に変換され、この設定値は設定部７６に入力される。「制御手段」としての設定部７６が、入力された設定値を駆動部制御部７４に入力することにより、ユーザーが指定した印刷条件で印刷が行われる。
　　【０１２３】
　２−２　作用
　次に、図１０〜図１２に基づいて本実施の形態の作用を説明する。図１０は、情報端末６１側の処理を示すフローチャートである。
　　【０１２４】
　情報端末６１からプリンタ７１に対して、印刷すべきデータが転送される（Ｓ３１）。具体的には、ウェブブラウザ６３で印刷ファイルを開き、この印刷ファイルをＨＴＴＰのＰＵＴコマンド等を利用してプリンタ７１に転送することができる。また、これに限らず、例えば、ＦＴＰ（Ｆｉｌｅ　Ｔｒａｎｓｆｅｒ　Ｐｒｏｔｏｃｏｌ）やＬＰＲ等の他の手段によって印刷データを転送してもよい。なお、ＬＰＲとは、バークレー・ラインプリンタ・デーモンサービスと呼ばれる印刷キュー管理プログラムをいい、ＲＦＣ（Ｒｅｑｕｅｓｔ　ｆｏｒ　Ｃｏｍｍｅｎｔｓ）１１７９として、インターネットの標準プロトコルとなっている。
　　【０１２５】
　次に、ＨＴＴＰリクエストをプリンタ７１に転送する（Ｓ３２）。このＳ３２で転送されるＨＴＴＰリクエストは、印刷画像の予測結果であるサムネイル画像の転送を要求するものである。即ち、Ｓ３１で先に転送した印刷ファイルを、例えば、７２０ｄｐｉで印刷した場合、３６０ｄｐｉで印刷した場合、カラー印刷した場合、モノクロ印刷した場合等の種々の印刷条件による印刷予測結果を要求している。
　　【０１２６】
　そして、プリンタ７１からサムネイル画像のＨＴＭＬ形式ファイルが転送されてくるのを待つ（Ｓ３３）。ＨＴＭＬ形式ファイルが転送されてきた場合には、ＨＴＭＬ形式ファイルを画面表示し（Ｓ３４）、該ＨＴＭＬ形式ファイルに埋め込まれたタグを検出して（Ｓ３５）、タグによってリンクされたサムネイル画像の画像ファイル転送を要求する（Ｓ３６）。プリンタ７１から情報端末６１にサムネイル画像が転送されると（Ｓ３７）、このサムネイル画像は、順次画面に表示される（Ｓ３８）。全てのサムネイル画像を受信するまで、前記Ｓ３５〜Ｓ３８の処理が繰り返される。
　　【０１２７】
　図１２に示すように、種々の印刷設定によるサムネイル画像が表示されると、ユーザーは、ポインティングデバイス等によって所望する印刷設定のサムネイル画像を選択する（Ｓ４０）。そして、この選択されたサムネイル画像に設けられたＵＲＬが情報端末６１からプリンタ７１に転送されると、プリンタ７１による印刷が実行される。
　　【０１２８】
　なお、図１０に示すフローチャートでは、印刷ファイルの転送からサムネイル画像の選択までを一連の処理として図示しているが、図５に示すフローチャートと基本的に同一である。ただ、図５に示すフローチャートと異なるのは、最初に印刷ファイルを転送する点である。
　　【０１２９】
　次に、図１１は、プリンタ７１側の処理を示すフローチャートである。まず、情報端末６１からのＨＴＴＰリクエストを受信すると（Ｓ５１）、ＵＲＬが抽出される（Ｓ５２）。この抽出されたＵＲＬは、ＵＲＬ解釈部８０によって所定の設定値に変換され（Ｓ５３）、設定部７６によって駆動部制御部７４にセットされる（Ｓ５４）。全てのＵＲＬを設定値に変換するまでＳ５３，Ｓ５４の処理が繰り返される（Ｓ５５）。
　　【０１３０】
　そして、サムネイル画像の一覧を要求するプレビューであるか否かを判定し（Ｓ５６）、プレビューが要求されている場合には、イメージ作成部７５によって種々の印刷設定に応じたサムネイル画像を作成する（Ｓ５７）。各サムネイル画像は、ＪＰＥＧやＧＩＦ等の所定フォーマットの画像データに変換される（Ｓ５９）。そして、ＨＴＴＰレスポンス作成部７９によりＨＴＴＰレスポンスが作成され（Ｓ６０）、このＨＴＴＰレスポンスはネットワーク接続部７２等を介して情報端末６１に転送される（Ｓ６１）。
　　【０１３１】
　なお、プレビュー要求であるか否かの判定ステップＳ５６は、廃止することができる。図１０のＳ３２でサムネイル画像一覧の転送を要求する場合は、図１１のＳ５１からＳ５２〜Ｓ５６をスキップしてＳ５７に移ることができる。
　　【０１３２】
　一方、ＵＲＬによって間接的に印刷実行が要求されている場合には、指定された設定値に基づいた印刷が実行される（Ｓ５８）。
　　【０１３３】
　このように構成される本実施の形態でも、上述した第１の実施の形態と同様の効果を得ることができる。
　　【０１３４】
　３．第３の実施の形態
　次に、図１３、図１４は、本発明の第３の実施の形態を示している。本実施の形態の特徴は、ＵＲＬの簡便な入力環境構築用プログラムをウェブサーバ部４６に用意した点にある。
　　【０１３５】
　ウェブサーバ部４６には、操作用プログラム９１が実装されている。この操作用プログラム９１は、例えば、米国Ｓｕｎ　Ｍｉｃｒｏｓｙｓｔｅｍｓ社が開発したＪａｖａプログラム（アプレット）のように、ウェブブラウザ６３で実行可能なアーキテクチャニュートラルなプログラムとして作成されている。
　　【０１３６】
　ウェブサーバ部４６から操作用プログラム９１を情報端末６１にダウンロードすることにより、図１４に示すような操作環境、ＵＲＬ入力環境を実現することができる。各設定値に対応するボタンをポインティングデバイス等で操作することにより、ユーザーは、未だＢｏｏｋｍａｒｋに登録されていないＵＲＬでも容易に入力することができる。
　　【０１３７】
　４．第４の実施の形態
　次に、図１５〜図１８に基づいて本発明の第４の実施の形態を説明する。本実施の形態の特徴は、画像情報入出力装置側のウェブサーバ機能によってウェブページを提供し、このウェブページを介して処理内容の選択、確認を行うようにした点にある。
　　【０１３８】
　４−１　構成
　画像情報入出力装置としてのスキャナ装置１１１は、ウェブサーバ部１１２と、解釈部１１５と、駆動制御部４４と、画像データ読取部４３とを備えて構成されている。ここで、ウェブサーバ部１１２には、「ウェブページ発生手段」としてのウェブページ生成部１１４が設けられている。ウェブページ生成部１１４は、入力された「資源要求情報」としてのＵＲＬに応じて所定のウェブページを生成し、情報端末６１側に送信するようになっている。
　　【０１３９】
　ＵＲＬ解釈部４９は、管理テーブル１１３に基づいて入力されたＵＲＬを制御コマンド等に変換する。変換された制御コマンドは、解釈部１１５に入力されて解釈される。
　　【０１４０】
　管理テーブル１１３は、図１６に示すように構成することができる。例えば、スキャナ装置１１１のＩＰアドレスは、予め設定された先頭のウェブページを送信するコマンドに対応付けられている。後述のように、このＩＰアドレスのみが入力された場合には、例えば、ＩＮＤＥＸ．ｈｔｍｌのような先頭のメニューページが情報端末６１に転送される。「ＳＣＡＮ」はスキャン処理であることを示すコマンドに、「３００」は読取り解像度３００ｄｐｉに、「６００」は読取り解像度６００ｄｐｉに、「Ｄｉｔｈｅｒ」はディザ処理に、「Ｅｒｒｏｒ」は誤差拡散法に、それぞれ対応付けられて記憶されている。なお、図１６は、制御コマンド等の一部を例示列挙したものであり、本発明はこれに限定されない。
　　【０１４１】
　４−２　作用
　次に、図１７及び図１８に基づいて、本実施の形態の作用を説明する。まず、情報端末６１からＨＴＴＰリクエストを受信すると（Ｓ７１）、この受信したリクエストからＵＲＬが抽出される（Ｓ７２）。次に、スキャンを実行するか否かが判定される（Ｓ７３）。例えば、入力されたＵＲＬ中にスキャン実行を指示するコマンドが含まれている場合、または、スキャン実行に必要な全ての選択がなされている場合に、スキャンの実行であると判定することができる。
　　【０１４２】
　スキャンを実行しない場合は、Ｓ７３で「ＮＯ」と判定され、入力されたＵＲＬの構造を解析して履歴情報を抽出する（Ｓ７４）。後述のように、解像度や中間階調の処理方法等の各種パラメータを選択した履歴を検出する。そして、検出された履歴情報を含むようにして新たなＵＲＬを生成し（Ｓ７５）、このＵＲＬをウェブページに対応付ける（Ｓ７６）。このようにして生成されたウェブページは、情報端末６１に送信される（Ｓ８３，Ｓ８４）。
　　【０１４３】
　一方、前記Ｓ７３でスキャン実行であると判定された場合は、入力されたＵＲＬを先頭から順番に制御コマンドに変換して（Ｓ７７）、バッファに保存していく（Ｓ７８）。ＵＲＬが全て制御コマンドに変換されると（Ｓ７９）、これらの各制御コマンドは解釈部１１５に渡され（Ｓ８０）、スキャンが実行される（Ｓ８１）。スキャンの結果得られた画像は、所定形式の画像ファイルとして生成去れ（Ｓ８２）、ウェブページの一部または全部として情報端末６１に送信される（Ｓ８３，Ｓ８４）。
　　【０１４４】
　図１８には、情報端末６１とスキャナ装置１１１との間で行われる通信の状況が模式的に示されている。
　　【０１４５】
　まず、情報端末６１からスキャナ装置のＩＰアドレスのみを含むＵＲＬをスキャナ装置１１１に入力する。ＩＰアドレスのみのＵＲＬは、インデックスページの送信要求に対応付けられているため、スキャナ装置１１１は、インデックスページＷＰ１を情報端末６１に送信する。インデックスページＷＰ１では、スキャナ処理画面の選択とヘルプ画面の選択とを行えるようになっている。
　　【０１４６】
　そして、ユーザーがインデックスページＷＰ１に「ＳＣＡＮ」として表示されたスキャナ処理を選択すると、この選択されたＵＲＬ（ｈｔｔｐ：／／ｘｘｘ／ＳＣＡＮ／）がスキャナ装置１１１に送信される。この転送要求を受信したスキャナ装置１１１は、スキャナ処理の第１ページＷＰ２を生成して情報端末６１に送信する。この第１ページＷＰ２では、６００ｄｐｉ及び３００ｄｐｉの２種類の読取り解像度を選択できるようになっている。
　　【０１４７】
　ここで、スキャナ装置１１１は、受信したＵＲＬの構造を解析して履歴情報を抽出し、この履歴情報を含んだ新たなＵＲＬを生成してウェブページＷＰ２を生成している点に注意しなければならない。図示の例で言えば、「ｈｔｔｐ：／／ｘｘｘ／ＳＣＡＮ／」というＵＲＬから「ＳＣＡＮ」という履歴情報が抽出される。そして、第１ぺ一ジＷＰ２に貼り付けられる各ＵＲＬは、履歴情報を含んでいる。即ち、読取り解像度６００ｄｐｉを指示するためのＵＲＬは、「ｈｔｔｐ：／／ｘｘｘ／ＳＣＡＮ／６００／」として構成され、読取り解像度３００ｄｐｉを指示するためのＵＲＬは、「ｈｔｔｐ：／／ｘｘｘ／ＳＣＡＮ／３００／」として構成される。
　　【０１４８】
　そして、ユーザーが読取り解像度６００ｄｐｉを選択すると、「ｈｔｔｐ：／／ｘｘｘ／ＳＣＡＮ／６００／」というＵＲＬがスキャナ装置１１１に入力される。図示例では、解像度の選択の次に中間階調処理の選択を行うようになっているため、スキャナ装置１１１は、次の選択メニューである中間階調処理のページＷＰ３を生成して情報端末６１に送信する。この第２ページＷＰ３では、ディザ処理と誤差拡散法の２種類の処理方法を選択できるようになっている。上記同様に、この第２ページＷＰ３に対応付けられる各ＵＲＬは、履歴情報を含んで構成されている。即ち、第２ページＷＰ３を生成する時点での履歴情報は「ＳＣＡＮ／６００」であるから、ディザ処理を選択するためのＵＲＬは、「ｈｔｔｐ：／／ｘｘｘ／ＳＣＡＮ／６００／Ｄｉｔｈｅｒ／」として構成され、誤差拡散法を選択するためのＵＲＬは、「ｈｔｔｐ：／／ｘｘｘ／ＳＣＡＮ／６００／Ｅｒｒｏｒ／」として構成されている。
　　【０１４９】
　従って、例えば、ユーザーがディザ処理を選択すると、全ての選択履歴を含んでなる「ｈｔｔｐ：／／ｘｘｘ／ＳＣＡＮ／６００／Ｄｉｔｈｅｒ／」というＵＲＬがスキャナ装置１１１に入力される。そこで、スキャナ装置１１１側では、このＵＲＬを制御コマンドに変換して解釈部１１５に入力し、要求されたスキャン処理を実行する。
　　【０１５０】
　なお、ＵＲＬの表現方法は上記の例に限定されない。例えば、「ｈｔｔｐ：／／ｘｘｘ／ａｃｔｉｏｎ＝ＳＣＡＮ／ｒｅｓｏｌｕｔｉｏｎ＝６００／ａｌｇｏｒｉｔｈｍ＝Ｄｉｔｈｅｒ／」という形式を採用してもよい。即ち、パラメータの種類を示す情報（ａｃｔｉｏｎ，ｒｅｓｏｌｕｔｉｏｎ，ａｌｇｏｒｉｔｈｍ）とパラメータの値（ＳＣＡＮ，６００，Ｄｉｔｈｅｒ）とをセットにして表現することにより、ＵＲＬを見ただけで処理内容を明確に把握することができる。
　　【０１５１】
　このように構成される本実施の形態でも、ＵＲＬを介して制御コマンドを間接的に指定するため、前記各実施の形態と同様の効果を得ることができる。
　　【０１５２】
　これに加えて、本実施の形態では、以下の効果を奏する。
　　【０１５３】
　第１に、スキャナ装置１１１は各ウェブページを生成して情報端末６１に送信するため、このウェブページ中のＵＲＬを選択するだけで所望の動作を行わせることができる。即ち、ウェブページには、読取り解像度や中間階調処理方法等の所定の処理内容が表示され、各処理内容には所定のＵＲＬがそれぞれ対応付けられているため、ユーザーは、所望の処理内容を選択するだけでよく、複雑なＵＲＬを手入力する必要がない。従って、誤操作を防止し、使い勝手が向上する。
　　【０１５４】
　第２に、ＵＲＬは、過去に選択された処理内容の履歴情報を含んで構成されているため、後述する他の実施の形態のように、ウェブサーバ側でＵＲＬの履歴を保存する必要がなく、メモリ消費量等を節約することができる。
　　【０１５５】
　なお、各パラメータの初期値を予め設定しておくことにより、全てのパラメータを選択せずにスキャン処理を行わせるように構成することもできる。
　　【０１５６】
　５．第５の実施の形態
　次に、図１９に基づいて、本発明の第５の実施の形態を説明する。本実施の形態の特徴は、スキャナ処理のウェブページに、処理可能な処理パターンの一覧を予め表示しておくことにある。
　　【０１５７】
　図１９は、本実施の形態における情報端末６１とスキャナ装置１１１との通信状況を模式的に示す説明図である。インデックスページＷＰ１からスキャナ処理を選択すると、スキャナ装置１１１は、スキャナ処理のメニューページＷＰ１１を生成して情報端末６１に送信する。このウェブページＷＰ１１には、スキャナ装置１１１で実行可能な全ての処理パターンが一覧表示されている。
　　【０１５８】
即ち、ウェブページＷＰ１１には、６００ｄｐｉ及び３００ｄｐｉの２種類の読取り解像度と、ディザ処理及び誤差拡散法の２種類の中間階調処理方法とを組み合わせてなる合計４種類の処理パターンが表示されている。各処理パターンには、それを実現するための情報を含んだＵＲＬが対応付けられている。例えば、読取り解像度６００ｄｐｉでディザ処理を行う処理パターンには「ｈｔｔｐ：／／ｘｘｘ／ＳＣＡＮ／６００＋Ｄｉｔｈｅｒ／」というＵＲＬが、また、読取り解像度３００ｄｐｉで誤差拡散法を行う処理パターンには「ｈｔｔｐ：／／ｘｘｘ／ＳＣＡＮ／３００÷Ｅｒｒｏｒ／」というＵＲＬが、それぞれ対応付けられている。
　　【０１５９】
　従って、ユーザーが所望の処理パターンを選択すると、該処理パターンに対応付けられたＵＲＬがスキャナ装置１１１に入力され、所定の制御コマンドに変換されてスキャン処理が実行される。
　　【０１６０】
　このように構成される本実施の形態でも、上述した第４の実施の形態と同様の効果を得ることができる。これに加えて、本実施の形態では、処理パターンの一覧を予め表示するため、各ウェブページの階層を辿って選択を行う必要がなく、使い勝手が向上する。
　　【０１６１】
　なお、第４の実施の形態と第５の実施の形態とを結合させることもできる。即ち、読取り解像度等の主要なパラメータは処理パターンの一覧として表示し、それ以外のパラメータは、下の階層に位置するウェブページで選択するように構成することもできる。
　　【０１６２】
　６．第６の実施の形態
　次に、図２０〜図２２に基づいて本発明の第６の実施の形態を説明する。本実施の形態の特徴は、ネットワークに接続されたスキャナ装置やプリンタ等の事務機器を管理する管理サーバを設けた点にある。
　　【０１６３】
　６−１　構成
　図２０は、本実施の形態による画像情報処理システムの全体構成を示すブロック図である，管理サーバ１２１は、ネットワーク１００に接続するためのネットワーク接続部１２２と、ウェブサーバ部１２３とを備えている。ウェブサーバ部１２３には、ＨＴＴＰリクエスト受信部１２４と、ＨＴＴＰレスポンス作成部１２５と、ＵＲＬ解釈部１２６と、ジョブ管理部１２７と、管理テーブル１２８と、ウェブベージ生成部１２９とが設けられている。
　　【０１６４】
　管理テーブル１２８は、ＵＲＬと制御コマンド等とを対応付けて管理するものである。管理テーブル１２８には、スキャナ装置１３１とプリンタ１３２の双方の制御コマンドが記憶されている。ウェブページ生成部１２９は、後述の如く、所定のウェブページを生成して情報端末６１に送信するためのものである。
　　【０１６５】
　ＵＲＬ解釈部１２６は、情報端末６１から入力されたＵＲＬを管理テーブル１２８に基づいて制御コマンドに変換するためのものである。変換された制御コマンドは、ジョブ管理部１２７からネットワーク接続部１２２を介して所定の事務機器に送信される。例えば、ジョブ管理手段として表現可能なジョブ管理部１２７は、ネットワーク１００に接続された各事務機器の稼働状態等を把握するためのものである。
　　【０１６６】
　スキャナ装置１３１は、ネットワーク接続部４２と、解釈部１１５と、駆動制御部４４と、画像データ読取部４３とを備えて構成されている。即ち、本スキャナ装置１３１は、ウェブサーバ機能を備えている必要はない。同様に、プリンタ１３２も、通常のネットワークプリンタと同様に、ネットワーク接続部と、受信バッファと、解釈部と、プリントエンジン等とを備えて構成されている。
　　【０１６７】
　６−２　作用
　図２１には、情報端末６１と管理サーバ１２１とスキャナ装置１３１との間の通信状況が模式的に示されている。
　　【０１６８】
　まず、情報端末６１から管理サーバ１２１のウェブサーバ部１２３に対して総合ぺージＷＰ２１の転送を要求すると、管理サーバ１２１は総合ページＷＰ２１を情報端末６１に送信する。総合ページＷＰ２１とは、図２２に示すように、例えば、スキャナ装置とプリンタのように、ネットワーク１００に接続された事務機器が種類毎に示されたものである。
　　【０１６９】
　ユーザーが総合ページＷＰ２１からスキャナメニューＷＰ２２を選択すると、管理サーバ１２１はスキャナメニューＷＰ２２を情報端末６１に送信する。図２２に示すように、スキャナメニューＷＰ２２には、ネットワーク１００に接続された各スキャナ装置の名称等が表示されている。そして、ユーザーが所望のスキャナ装置１３１を選択すると、管理サーバ１２１は、選択されたスキャナ装置１３１の操作メニューＷＰ２３を情報端末６１に送信する。図２２に示すように、操作メニューＷＰ２３には、スキャン処理のための各パラメータを選択するボタンと、稼働状況等を問い合わせるボタンとが表示されている。スキャン処理を選択した場合には、図１８に示したと同様に、一枚または複数枚のウェブページからパラメータを選択することができる。
　　【０１７０】
　図２２中に示す読取り解像度の選択ページＷＰ２４のように、ユーザーが所望のパラメータを選択すると、このパラメータを示すＵＲＬが管理サーバ１２１に入力される。管理サーバ１２１のＵＲＬ解釈部１２６は、入力されたＵＲＬを所定の制御コマンドに変換する。変換された制御コマンドは、所定のスキャナ装置１３１に送信される。スキャナ装置１３１は、制御コマンドを解釈してスキャン処理を実行し、スキャンによって得られた画像ファイルを管理サーバ１２１に転送する。管理サーバ１２１は、スキャナ装置１３１から受信した画像ファイルを情報端末６１に転送する。
　　【０１７１】
　一方、スキャナ装置１３１やプリンタ１３２の稼働状況等を問い合わせる場合は、ユーザーは、操作メニューＷＰ２３中の「問い合わせ」を選択する。これにより、管理サーバ１２１のジョブ管理部１２７は、指定された機器の稼働状況等を情報端末６１に送信する。即ち、指定された機器に割り当てられたジョブの数、ジョブの大きさ等の管理データや待ち時間の予測値等が情報端末６１側に通知される。なお、図２１ではスキャナ装置１３１を例示したが、図２２に示すように、プリンタ１３２にも同様のウェブページＷＰ３１〜ＷＰ３３が用意されている。
　　【０１７２】
　本実施の形態でも、ＵＲＬを介して各機器の制御コマンドを間接的に指定できるため、第４の実施の形態と同様の効果を得ることができる。これに加えて、本実施の形態では、スキャナ装置１３１やプリンタ１３２を管理する管理サーバ１２１を設け、管理サーバ１２１が提供するウェブページから所望のＵＲＬを入力することにより各機器を操作するため、通常のネットワークプリンタやネットワークスキャナをウェブブラウザを介して簡単に操作でき、さらに、各機器の稼働状況や待ち時間等を容易に把握することができる。
　　【０１７３】
　なお、スキャナ装置１３１やプリンタ１３２の各機器側にもウェブサーバ部を搭載し、各機器１３１，１３２と管理サーバ１２１と情報端末６１との間で、ＨＴＴＰに従った通信を行うように構成してもよい。この場合、管理サーバ１３１は、プロキシサーバとして働かせることができる。
　　【０１７４】
　７．第７の実施の形態
　次に、図２３に基づいて本発明の第７の実施の形態を説明する。本実施の形態の特徴は、処理内容を選択する度にプレスキャンを実行し、プレスキャンにより得られた画像ファイルをウェブページとして情報端末に送信する点にある。
　　【０１７５】
　図２３のフローチャートには、本実施の形態によるスキャナ側処理が示されている。
　　【０１７６】
　情報端末６１からのＨＴＴＰリクエストを受信すると（Ｓ９１）、ＵＲＬが抽出される（Ｓ９２）。抽出されたＵＲＬは、先頭から順番に制御コマンドに変換されてバッファに保存される（Ｓ９３，Ｓ９４，Ｓ９５）。そして、プレスキャンを行うか否かが判定される（Ｓ９６）。例えば、ウェブページ中にスキャン開始ボタンを設けておき、このスキャン開始ボタンが操作されていない場合は、プレスキャンであると判定することができる。
　　【０１７７】
　プレスキャンであると判定された場合は、入力されたＵＲＬから履歴情報を抽出して（Ｓ９７）新たなＵＲＬを生成し（Ｓ９８）、この新たなＵＲＬを対応付けたウェブページを生成する（Ｓ９９）。そして、入力されたＵＲＬに基づく制御コマンドを解釈部１１５に入力し（Ｓ１００）、スキャンを実行する（Ｓ１０１）。このＳ１０１におけるスキャンは、プレスキャンとなる。ここで、全てのパラメータがユーザーによって指定されていない場合でも、ブレスキャンを行うことができる。即ち、各パラメータの初期値は予め設定されており、ユーザーによって特に指定されたパラメータ以外のパラメータには、初期値が用いられてプレスキャンを実行することになる。
　　【０１７８】
　そして、プレスキャンにより得られた画像を所定の画像ファイルとして生成し（Ｓ１０２）、ＨＴＴＰレスポンスを作成して（Ｓ１０３）、情報端末６１に送信する（Ｓ１０４）。ここで、プレスキャンの画像ファイルを指定するＵＲＬは、Ｓ９９で作成されたウェブページに設けられている。従って、ユーザーは、読取り解像度等のパラメータを選択する度に、該選択結果に基づくプレスキャン画像を得ることができる。
　　【０１７９】
　一方、スキャン開始ボタンを操作等することによりスキャン実行であると判定された場合は、前記Ｓ９７〜Ｓ９９まではスキップされ、Ｓ１００に移る。
　　【０１８０】
　このように構成される本実施の形態でも、前記第４の実施の形態と同様の効果を得ることができる。これに加えて、本実施の形態では、読取り解像度等のパラメータを選択する度にプレスキャンを実行するため、処理結果を確認しながらパラメータを選択することができる。
　　【０１８１】
　８．第８の実施の形態
　次に、図２４に基づいて本発明の第８の実施の形態を説明する。本実施の形態の特徴は、選択された処理内容の履歴をスキャナ装置側で保存する点にある。
　　【０１８２】
　図２４のフローチャートには、本実施の形態によるスキャナ側処理が示されている。本処理は、図１７中に示すＳ７１〜Ｓ７３とＳ７７〜Ｓ８４の各ステップを含んでいる。
　　【０１８３】
　本実施の形態では、スキャンを実行しないものとしてＳ７３で「ＮＯ」と判定された場合に、ＵＲＬにより選択された処理内容が抽出されてバッファに保存される（Ｓ１１０）。即ち、各ＵＲＬが指定する処理内容は、それぞれバッファに一時的に保存され、スキャンを実行すると判定された場合に、保存された処理内容が制御コマンドに変換されるようになっている（Ｓ７７〜Ｓ７９）。例えば、「ｈｔｔｐ：／／ｘｘｘ／３００／」というＵＲＬが入力された場合は、「／３００／」の部分が保存され、次に、「ｈｔｔｐ：／／ｘｘｘ／Ｅｒｒｏｒ／」というＵＲＬが入力された場合は、「／Ｅｒｒｏｒ／」の部分が保存される。そして、スキャンを実行する場合は、保存されたＵＲＬの各部分が制御コマンドに変換されて解釈部１１５に入力される。
　　【０１８４】
　従って、本実施の形態では、入力されたＵＲＬの履歴情報を含んだ新たなＵＲＬを発生させてウェブページを生成する必要はない。
　　【０１８５】
　このように構成される本実施の形態も、前記第４の実施の形態と同様の効果を得ることができる。
　　【０１８６】
　９．第９の実施の形態
　次に、図２５に基づいて本発明の第９の実施の形態を説明する。本実施の形態の特徴は、情報端末側でＵＲＬの選択履歴を監視しておき、機器側のウェブサーバ部の要求に応じて選択履歴を含んだＵＲＬを転送する点にある。
　　【０１８７】
　図２５は、情報端末６１側で実行されるＵＲＬ監視処理を示すフローチャートである。例えば、この監視処理プログラムは、情報端末６１がスキャナ装置１１１に最初にアクセスしたときに、スキャナ装置１１１から情報端末６１側に送り込んで起動させることができる。
　　【０１８８】
　まず、情報端末６１側でＵＲＬが入力されたか否かを監視しており（Ｓ１２１）、ＵＲＬが入力された場合には、このＵＲＬの履歴情報を情報端末６１側のメモリに保存する（Ｓ１２２）。即ち、例えば、「ｈｔｔｐ：／／ｘｘｘ／６００／」というＵＲＬが情報端末６１側で入力された場合は、「／６００／」の部分が保存される。ＵＲＬが入力される度に、そのＵＲＬは情報端末６１側に記憶されていく。
　　【０１８９】
　一方、ＵＲＬが入力されない場合は、スキャナ装置１１１のウェブサーバ部１１２から履歴情報の転送要求がされたか否かを判定する（Ｓ１２３）。履歴情報の転送を要求された場合には、保存された履歴情報を読み出して（Ｓ１２４）、選択内容を全て含んだ新たなＵＲＬを生成し（Ｓ１２５）、このＵＲＬをスキャナ装置１１１側に転送する（Ｓ１２６）。なお、Ｓ１２２では、ＵＲＬの一部ではなく、ＵＲＬの全部を保存してもよい。
　　【０１９０】
　このように構成される本実施の形態でも前記第４の実施の形態と同様の効果を得ることができる。これに加えて、本実施の形態では、情報端末６１側でＵＲＬの選択履歴を監視し、最後に全ての選択履歴を含んだＵＲＬをスキャナ装置１１１側に送信するため、スキャナ装置１１１側のメモリ資源やＣＰＵ資源の消費を節約することができる。
　　【０１９１】
　なお、当業者であれば、各実施の形態に記載された本発明の要旨の範囲内で種々の追加、変更等が可能である。
　　【０１９２】
　例えば、図１３に示すように、記録媒体９３に本発明を実現するためのプログラム等を記憶させておき、該記録媒体９３の記憶内容をＩ／Ｆ９２、情報端末６１を介してスキャナ装置４１にロードすることができる。また、直接スキャナ装置４１に所定のプログラムをダウンロードすることもできる。記録媒体９３としては、例えば、フロッピーディスク、ＣＤ−ＲＯＭ、ＤＶＤ−ＲＯＭ、メモリカード等の有形的記録媒体のほかに、通信回線を用いてダウンロードする等の通信媒体を含めることができる。
　　【０１９３】
　さらに、画像情報入出力装置にアクセスするために必要なパスワードや暗証番号を用意し、アクセス権を有する者のみが画像情報入出力装置の操作を行うことができるように構成することもできる。
　　【０１９４】
　また、ウェブサーバ部内に、画像情報入出力装置のステータス情報、例えば、給紙サイズ、トナー残量等を表示するステータス表示用のＨＴＭＬ形式ファイルを用意しておけば、情報端末から画像情報入出力装置のステータスを容易に確認することができる。また、マニュアルやエラーリカバリー手順（トラブルシューティング）を表示するＨＴＭＬ形式ファイルを、前記ステータスに応じて情報端末側に送り分けることもできる。即ち、両面印刷機構等の実装済みオプションの種類、印刷用紙の種類等の各ステータスに応じて、必要となり得るオンラインマニュアルのみを情報端末で閲覧可能に構成することもできる。
　　【０１９５】
　さらに、前記各実施の形態では、スキャナ装置及びプリンタの２種類の画像情報入出力装置を例に挙げて説明したが、本発明はこれに限らず、例えば、デジタルスチルカメラ、デジタルビデオカメラ、液晶ディスプレイ等の種々の画像情報入出力装置にも広く適用することができる。例えば、デジタルスチルカメラやデジタルビデオカメラ等の場合には、シャッター速度、露出、静止画像か動画像か、音声入力を行うか否か等の各設定値をウェブブラウザ等の閲覧検索手段によって間接的に指定することができる。また、液晶ディスプレイ等の場合には、表示解像度、階調等の設定値をウェブブラウザにより間接的に操作することができる。
　　【０１９６】
　【発明の効果】
　以上説明した通り、本発明に係る画像情報入出力装置、画像情報入出力装置の制御方法及び画像情報処理システムによれば、
ウェブブラウザのブックマーク保存機能を用いて保存可能なＵＲＬ（Ｕｎｉｆｏｒｍ　Ｒｅｓｏｕｒｃｅ　Ｌｏｃａｔｏｒ）であって複数の項目の設定値を一度に指示する構造々もつＵＲＬ
　　【０１９７】
　特に、ハイパーテキスト型の情報検索環境を画像情報入出力装置に実装し、該情報検索環境を利用するための
ＵＲＬ
　　【０１９８】
　さらに、選択された処理内容の履歴情報を含んでなる
ＵＲＬ
【図面の簡単な説明】
　【図１】
　本発明の機能構成を説明するための機能ブロック図である。
　【図２】
　本発明の他の機能構成を説明するための機能ブロック図である。
　【図３】
　本発明の第１の実施の形態に係る画像情報処理システムをスキャナ装置に適用した場合のブロック図である。
　【図４】
　管理テーブルの構成等を示す説明図である。
　【図５】
　情報端末側の処理を示すフローチャートである。
　【図６】
　スキャナ装置側の処理を示すフローチャートである。
　【図７】
　スキャン予測画像であるサムネイル画像を一覧表示した画面状態の説明図である。
　【図８】
　所望する設定値により得られた画像を表示した画面状態の説明図である。
　【図９】
　本発明の第２の実施の形態に係る画像情報処理システムをプリンタに適用した場合のブロック図である。
　【図１０】
　情報端末側の処理を示すフローチャートである。
　【図１１】
　プリンタ側の処理を示すフローチャートである。
　【図１２】
　印刷見本であるサムネイル画像を一覧表示した画面状態の説明図である。
　【図１３】
　本発明の第３の実施の形態に係る画像情報処理システムをスキャナ装置に適用した場合のブロック図である。
　【図１４】
　操作用プログラムによりウェブブラウザ内に構築されるＵＲＬ入力環境の画面状態を示す説明図である。
　【図１５】
　本発明の第４の実施の形態に係る画像情報処理システムをスキャナ装置に適用した場合のブロック図である。
　【図１６】
　管理テーブル等の構成を示す説明図である。
　【図１７】
　スキャナ側処理を示すフローチャートである。
　【図１８】
　ウェブページとＵＲＬの送信状態等を示す説明図である。
　【図１９】
　本発明の第５の実施の形態に係る画像情報処理システムにおけるウェブページとＵＲＬの送信状態等を示す説明図である。
　【図２０】
　本発明の第６の実施の形態に係る画像情報処理システムを示すブロック図である。
　【図２１】
　情報端末と管理サーバとスキャナ装置との間の通信状態を模式的に示す説明図である。
　【図２２】
　ウェブページの階層構造を示す説明図である。
　【図２３】
　本発明の第７の実施の形態に係る画像情報処理システムにおけるスキャナ側処理を示すフローチャートである。
　【図２４】
　本発明の第８の実施の形態に係る画像情報処理システムにおけるスキャナ側処理を示すフローチャートである。
　【図２５】
　本発明の第９の実施の形態に係る画像情報処理システムにおけるＵＲＬ監視処理を示すフローチャートである。
　【符号の説明】
　１　画像情報入出力装置
　２　情報検索環境
　３　画像処理手段
　４　管理テーブル
　５　変換手段
　６　制御手段
　７　見本画像生成手段
　８　見本画像一覧情報生成手段
　９　転送手段
　１１　情報端末
　１２　閲覧検索手段
　２１　画像情報入出力装置
　２２　画像処理手段
　２３　管理テーブル
　２４　受信手段
　２５　処理一覧情報生成手段
　２６　変換手段
　２７　制御手段
　３１　情報端末
　３２　処理一覧情報転送要求生成手段
　３３　選択手段
　３４　選択情報入力手段
　３５　保存手段
　４１　スキャナ装置
　４３　画像データ読取り部
　４４　駆動制御部
　４５　設定部
　４６　ウェブサーバ部
　４９　ＵＲＬ解釈部
　５０　管理テーブル
　６１　情報端末
　６３　ウェブブラウザ
　７１　プリンタ
　７３　プリントエンジン
　７４　駆動制御部
　７５　イメージ作成部
　７６　設定部
　７７　ウェブサーバ部
　８０　ＵＲＬ解釈部
　８１　管理テーブル
　９３　プログラム記録媒体
　１００　通信回線
　１１１　スキャナ装置
　１１２　ウェブサーバ部
　１１３　管理テーブル
　１１４　ウェブページ生成部
　１１５　解釈部
　１２１　管理サーバ
　１２３　ウェブサーバ部
　１２６　ＵＲＬ解釈部
　１２７　ジョブ管理部
　１２８　管理テーブル
　１２９　ウェブページ生成部
　１３１　スキャナ装置
　１３２　プリンタ